(57)【要約】  制御装置が、作業機械に電力を供給する電力供給装置を制御する。電力供給装置は、燃料電池を備える。制御装置は、通信ネットワークを介して、電力供給装置から作業機械への電力の供給を制限することを要求する制限要求を取得する制限要求取得部と、制限要求取得部が制限要求を取得した場合に、電力供給装置から作業機械への電力の供給を制限する制限部とを備える。制御装置は、作業機械の利用の終了を検出する終了検出部を備えてよい。制限部は、制限要求取得部が制限要求を取得した後、終了検部が作業機械の利用の終了を検出した場合に、制限の開始を決定してよい。
2020121496.tif 000002
【特許請求の範囲】
【請求項１】
作業機械に電力を供給する電力供給装置を制御する制御装置であって、
前記電力供給装置は、燃料電池を備え、
前記制御装置は、
通信ネットワークを介して、前記電力供給装置から前記作業機械への電力の供給を制限することを要求する制限要求を取得する制限要求取得部と、
前記制限要求取得部が前記制限要求を取得した場合に、前記電力供給装置から前記作業機械への電力の供給を制限する制限部と、
を備える、制御装置。
【請求項２】
前記作業機械の利用の終了を検出する終了検出部をさらに備え、
前記制限部は、前記制限要求取得部が前記制限要求を取得した後、前記終了検出部が前記作業機械の利用の終了を検出した場合に、前記制限の開始を決定する、
請求項１に記載の制御装置。
【請求項３】
前記作業機械の利用の開始を検出する開始検出部をさらに備え、
前記制限部は、前記制限要求取得部が前記制限要求を取得し、前記終了検出部が前記作業機械の利用の終了を検出した後、前記開始検出部が前記作業機械の利用の開始を検出した場合に、前記制限の開始を決定する、
請求項２に記載の制御装置。
【請求項４】
前記制限部は、（ｉ）前記電力の供給及び受領の少なくとも一方を停止する手段、（ｉｉ）前記電力の供給量又はその上限値を予め定められた値よりも小さくする手段、（ｉｉｉ）前記燃料電池の起動を禁止する手段、（ｉｖ）前記燃料電池の発電を禁止する手段、（ｖ）前記燃料電池の出力電力又はその上限値を予め定められた値よりも小さくする手段、（ｖｉ）前記燃料電池の出力レート又はその上限値を予め定められた閾値よりも小さくする手段、（ｖｉｉ）前記燃料電池の燃料の補充を禁止する手段、（ｖｉｉｉ）前記燃料電池の取り外し又は前記燃料電池の燃料カートリッジの取り外しを禁止する手段、及び、（ｉＸ）前記燃料電池の燃料の補充可能量を予め定められた値よりも小さくする手段の少なくとも１つにより、前記電力の供給を制限する、
請求項１から請求項３までの何れか一項に記載の制御装置。
【請求項５】
前記通信ネットワークを介して、前記制限を解除することを要求する解除要求を取得する解除要求取得部をさらに備え、
前記制限部は、前記解除要求取得部が前記解除要求を取得した場合に、前記制限の解除を決定する、
請求項１から請求項４までの何れか一項に記載の制御装置。
【請求項６】
請求項１から請求項５までの何れか一項に記載の制御装置と、
燃料電池と、
を備える、電力供給装置。
【請求項７】
請求項６に記載の電力供給装置と、
前記電力供給装置から供給された電気エネルギーを、力学的エネルギーに変換する電動機と、
を備える、作業機械。
【請求項８】
作業機械に電力を供給する電力供給装置を管理する管理装置であって、
前記電力供給装置は、燃料電池を備え、
前記管理装置は、
前記作業機械及び前記電力供給装置の少なくとも一方に関する予め定められた第１イベントの発生を検出するイベント検出部と、
前記イベント検出部が前記第１イベントの発生を検出した場合に、前記電力供給装置から前記作業機械への電力の供給を制限することを要求する制限要求を、通信ネットワークを介して、前記作業機械及び電力供給装置の少なくとも一方に送信する制限要求送信部と、
を備える、管理装置。
【請求項９】
前記作業機械及び前記電力供給装置の少なくとも一方の位置を示す位置情報を取得する位置情報取得部と、
前記制限の実行が許容されるエリアの位置を示すエリア情報を格納するエリア情報格納部を参照して、（ｉ）前記位置情報により示される、前記作業機械及び前記電力供給装置の少なくとも一方の位置と、（ｉｉ）前記エリア情報により示される前記エリアの位置との地理的な関係が予め定められた第１地理的条件を満足するか否かを判定する位置判定部と、
をさらに備え、
前記制限要求送信部は、前記地理的な関係が前記予め定められた第１地理的条件を満足する場合に、前記制限要求を、前記作業機械及び電力供給装置の少なくとも一方に送信する、
請求項８に記載の管理装置。
【請求項１０】
前記制限要求は、前記制限の実行が許容されるエリア及び前記制限の実行が禁止されるエリアの位置を示す情報を含む、
請求項８又は請求項９に記載の管理装置。
【請求項１１】
前記作業機械及び前記電力供給装置の少なくとも一方の位置を示す位置情報を取得する位置情報取得部と、
（ｉ）前記制限の実行が許容されるエリア及び前記制限の実行が禁止されるエリアの位置を示すエリア情報を格納するエリア情報格納部を参照して、前記制限の実行が許容されるエリア及び前記制限の実行が禁止されるエリアのうち、前記作業機械及び前記電力供給装置の少なくとも一方の位置と予め定められた第２地理的条件を満足するエリアを抽出するエリア抽出部と、
をさらに備え、
前記制限要求送信部は、前記制限要求とともに、又は、前記制限要求と対応付けて、前記エリア抽出部が抽出した前記エリアの位置を示す情報を、前記作業機械及び前記電力供給装置の少なくとも一方に送信する、
請求項８に記載の管理装置。
【請求項１２】
前記イベント検出部は、前記第１イベントの解消、及び、前記第１イベントを解消させ得る第２イベントの発生の少なくとも一方をさらに検出し、
前記管理装置は、
前記イベントが前記第１イベントの解消及び前記第２イベントの発生の少なくとも一方を検出した場合に、前記制限を解除することを要求する解除要求を、前記通信ネットワークを介して、前記作業機械及び電力供給装置の少なくとも一方に送信する解除要求送信部をさらに備える、
請求項８から請求項１１までの何れか一項に記載の管理装置。
【請求項１３】
前記第１イベントは、前記作業機械及び前記電力供給装置の少なくとも一方の故障、盗難、紛失、及び、利用料金の未納の少なくとも１つを含む、
請求項８から請求項１２までの何れか一項に記載の管理装置。
【請求項１４】
請求項１から請求項５までの何れか一項に記載の制御装置と、
請求項８から請求項１３までの何れか一項に記載の管理装置と、
を備える、管理システム。
【請求項１５】
コンピュータを、請求項１から請求項５までの何れか一項に記載の制御装置として機能させるためのプログラム。
【請求項１６】
コンピュータを、請求項８から請求項１３までの何れか一項に記載の管理装置として機能させるためのプログラム。
【請求項１７】
作業機械に電力を供給する電力供給装置を制御する制御方法であって、
前記電力供給装置は、燃料電池を備え、
前記制御方法は、
通信ネットワークを介して、前記電力供給装置から前記作業機械への電力の供給を制限することを要求する制限要求を取得する制限要求取得段階と、
前記制限要求取得段階において前記制限要求が取得された場合に、前記電力供給装置から前記作業機械への電力の供給を制限する制限段階と、
を有する、制御方法。
【請求項１８】
作業機械に電力を供給する電力供給装置を管理する管理方法であって、
前記電力供給装置は、燃料電池を備え、
前記管理方法は、
前記作業機械及び前記電力供給装置の少なくとも一方に関する予め定められた第１イベントの発生を検出するイベント検出段階と、
前記イベント検出段階において前記第１イベントの発生が検出された場合に、前記電力供給装置から前記作業機械への電力の供給を制限することを要求する制限要求を、通信ネットワークを介して、前記作業機械及び電力供給装置の少なくとも一方に送信する制限要求送信段階と、
を有する、管理方法。
【発明の詳細な説明】
【技術分野】
【０００１】
本発明は、制御装置、電力供給装置、作業機械、管理装置、制御方法、管理方法及びプログラムに関する。
【背景技術】
【０００２】
特許文献１には、電気自動車用の蓄電池のレンタルビジネスにおいて、蓄電池の交換時に、電気自動車の所有者がデータベースに登録されているか否かを確認し、電磁自動車の所有者がデータベースに登録されていない場合には、蓄電池が作動しないように制御することが開示されている。特許文献２には、通信ネットワークを介して燃料カートリッジが認証されたことを条件として、当該燃料カートリッジからの燃料が使用可能になる燃料電池電動式デバイスが開示されている。特許文献３〜５には、コンピュータの周辺機器等のレンタルビジネスにおいて、当該周辺機器等の利用量に応じた料金が支払われない場合に、ネットワークを介して周辺機器等の機能の全て又は一部を停止したり、その後、当該停止を再開したりすることが開示されている。
［先行技術文献］
［特許文献］
［特許文献１］  ＷＯ２０１０−００５０５２号公報
［特許文献２］  特表２０１５−５１１３６８号公報
［特許文献３］  特開２００１−２２２３３６号公報
［特許文献４］  特開２００３−３０３０１６号公報
［特許文献５］  特開２０１４−０８５７５８号公報
【解決しようとする課題】
【０００３】
特許文献１〜２に記載された発明によれば、蓄電池等が交換されるタイミングでしか機器の機能を停止することができず、蓄電池等の所有者が迅速に料金を徴収することができない。特許文献３〜５に記載された発明によれば、利用者が周辺装置等を利用している場合であっても、周辺機器等の機能が強制的に停止されてしまう。
【一般的開示】
【０００４】
本発明の第１の態様においては、制御装置が提供される。上記の制御装置は、例えば、作業機械に電力を供給する電力供給装置を制御する。上記の電力供給装置は、例えば、燃料電池を備える。上記の制御装置は、例えば、通信ネットワークを介して、電力供給装置から作業機械への電力の供給を制限することを要求する制限要求を取得する制限要求取得部を備える。上記の制御装置は、例えば、制限要求取得部が制限要求を取得した場合に、電力供給装置から作業機械への電力の供給を制限する制限部を備える。
【０００５】
上記の電力供給装置は、作業機械の利用の終了を検出する終了検出部を備えてよい。上記の電力供給装置において、制限部は、制限要求取得部が制限要求を取得した後、終了検出部が作業機械の利用の終了を検出した場合に、制限の開始を決定してよい。上記の電力供給装置は、作業機械の利用の開始を検出する開始検出部を備えてよい。上記の電力供給装置において、制限部は、制限要求取得部が制限要求を取得し、終了検部が作業機械の利用の終了を検出した後、開始検出部が作業機械の利用の開始を検出した場合に、制限の開始を決定してよい。
【０００６】
上記の電力供給装置において、制限部は、（ｉ）電力の供給及び受領の少なくとも一方を停止する手段、（ｉｉ）電力の供給量を予め定められた値よりも小さくする手段、（ｉｉｉ）燃料電池の起動を禁止する手段、（ｉｖ）燃料電池の発電を禁止する手段、（ｖ）燃料電池の出力電力を予め定められた値よりも小さくする手段、（ｖｉ）燃料電池の出力レートを予め定められた閾値よりも小さくする手段、（ｖｉｉ）燃料電池の燃料の補充を禁止する手段、（ｖｉｉｉ）燃料電池の取り外し又は燃料電池の燃料カートリッジの取り外しを禁止する手段、及び、（ｉＸ）燃料電池の燃料の補充可能量を予め定められた値よりも小さくする手段の少なくとも１つにより、電力の供給を制限してもよい。上記の電力供給装置は、通信ネットワークを介して、制限を解除することを要求する解除要求を取得する解除要求取得部を備えてよい。上記の電力供給装置において、制限部は、解除要求取得部が解除要求を取得した場合に、制限の解除を決定してよい。
【０００７】
本発明の第２の態様においては、電力供給装置が提供される。上記の電力供給装置は、例えば、上記の制御装置を備える。上記の電力供給装置は、例えば、燃料電池を備える。
【０００８】
本発明の第３の態様においては、作業機械が提供される。上記の作業機械は、例えば、上記の電力供給装置を備える。上記の作業機械は、例えば、上記の電力供給装置から供給された電気エネルギーを、力学的エネルギーに変換する電動機を備える。
【０００９】
本発明の第４の態様においては、管理装置が提供される。上記の管理装置は、例えば、作業機械に電力を供給する電力供給装置を管理する。上記の電力供給装置は、例えば、燃料電池を備える。上記の管理装置は、例えば、作業機械及び電力供給装置の少なくとも一方に関する予め定められた第１イベントの発生を検出するイベント検出部を備える。上記の管理装置は、例えば、イベント検出部が第１イベントの発生を検出した場合に、電力供給装置から作業機械への電力の供給を制限することを要求する制限要求を、通信ネットワークを介して、作業機械及び電力供給装置の少なくとも一方に送信する制限要求送信部を備える。
【００１０】
上記の管理装置は、作業機械及び電力供給装置の少なくとも一方の位置を示す位置情報を取得する位置情報取得部を備えてよい。上記の管理装置は、制限の実行が許容されるエリアの位置を示すエリア情報を格納するエリア情報格納部を参照して、（ｉ）位置情報により示される、作業機械及び電力供給装置の少なくとも一方の位置と、（ｉｉ）エリア情報により示されるエリアの位置との地理的な関係が予め定められた第１地理的条件を満足するか否かを判定する位置判定部を備えてよい。上記の管理装置において、制限要求送信部は、地理的な関係が予め定められた第１地理的条件を満足する場合に、制限要求を、作業機械及び電力供給装置の少なくとも一方に送信してよい。
【００１１】
上記の管理装置において、制限要求は、制限の実行が許容されるエリア及び制限の実行が禁止されるエリアの位置を示す情報を含んでよい。上記の管理装置は、作業機械及び電力供給装置の少なくとも一方の位置を示す位置情報を取得する位置情報取得部を備えてよい。上記の管理装置は、（ｉ）制限の実行が許容されるエリア及び制限の実行が禁止されるエリアの位置を示すエリア情報を格納するエリア情報格納部を参照して、制限の実行が許容されるエリア及び制限の実行が禁止されるエリアのうち、作業機械及び電力供給装置の少なくとも一方の位置と予め定められた第２地理的条件を満足するエリアを抽出するエリア抽出部を備えてよい。上記の管理装置において、制限要求送信部は、制限要求とともに、又は、制限要求と対応付けて、エリア抽出部が抽出したエリアの位置を示す情報を、作業機械及び電力供給装置の少なくとも一方に送信してよい。
【００１２】
上記の管理装置において、イベント検出部は、第１イベントの解消、及び、第１イベントを解消させ得る第２イベントの発生の少なくとも一方を検出してよい。上記の管理装置は、イベントが第１イベントの解消及び第２イベントの発生の少なくとも一方を検出した場合に、制限を解除することを要求する解除要求を、通信ネットワークを介して、作業機械及び電力供給装置の少なくとも一方に送信する解除要求送信部を備えてよい。上記の管理装置において、第１イベントは、作業機械及び電力供給装置の少なくとも一方の故障、盗難、紛失、及び、利用料金の未納の少なくとも１つを含んでよい。
【００１３】
本発明の第５の態様においては、管理システムが提供される。上記の管理システムは、例えば、上記の制御装置を備える。上記の管理システムは、例えば、上記の管理装置を備える。
【００１４】
本発明の第６の態様においては、制御方法が提供される。上記の制御方法は、例えば、作業機械に電力を供給する電力供給装置を制御する方法である。上記の電力供給装置は、例えば、燃料電池を備える。上記の制御方法は、例えば、通信ネットワークを介して、電力供給装置から作業機械への電力の供給を制限することを要求する制限要求を取得する制限要求取得段階を有する。上記の制御方法は、例えば、制限要求取得段階において制限要求が取得された場合に、電力供給装置から作業機械への電力の供給を制限する制限段階を有する。
【００１５】
本発明の第７の態様においては、管理方法が提供される。上記の管理方法は、例えば、作業機械に電力を供給する電力供給装置を管理する管理方法である。上記の電力供給装置は、例えば、燃料電池を備える。上記の管理方法は、例えば、作業機械及び電力供給装置の少なくとも一方に関する予め定められた第１イベントの発生を検出するイベント検出段階を有する。上記の管理方法は、例えば、イベント検出段階において第１イベントの発生が検出された場合に、電力供給装置から作業機械への電力の供給を制限することを要求する制限要求を、通信ネットワークを介して、作業機械及び電力供給装置の少なくとも一方に送信する制限要求送信段階を有する。
【００１６】
本発明の第８の態様においては、プログラムが提供される。上記のプログラムを格納する非一時的コンピュータ可読媒体が提供されてもよい。上記のプログラムは、コンピュータを、上記の制御装置として機能させるためのプログラムであってよい。上記のプログラムは、コンピュータに、上記の制御方法を実行させるためのプログラムであってよい。
【００１７】
本発明の第９の態様においては、プログラムが提供される。上記のプログラムを格納する非一時的コンピュータ可読媒体が提供されてもよい。上記のプログラムは、コンピュータを、上記の管理装置として機能させるためのプログラムであってよい。上記のプログラムは、コンピュータに、上記の管理方法を実行させるためのプログラムであってよい。
【００１８】
なお、上記の発明の概要は、本発明の必要な特徴の全てを列挙したものではない。また、これらの特徴群のサブコンビネーションもまた、発明となりうる。
【図面の簡単な説明】
【００１９】
【図１】車両管理システム１００のシステム構成の一例を概略的に示す。
【図２】車両制御部１２２の内部構成の一例を概略的に示す。
【図３】電源システム１２８の内部構成の一例を概略的に示す。
【図４】システム制御部３０８の内部構成の一例を概略的に示す。
【図５】車両管理部１４２の一例を概略的に示す。
【図６】データテーブル６００の一例を概略的に示す。
【図７】コンピュータ３０００のシステム構成の一例を概略的に示す。
【発明を実施するための形態】
【００２０】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。なお、図面において、同一または類似の部分には同一の参照番号を付して、重複する説明を省く場合がある。
【００２１】
［車両管理システム１００の概要］
図１は、車両管理システム１００のシステム構成の一例を概略的に示す。本実施形態において、車両管理システム１００は、例えば、車両１２０を備える。車両管理システム１００は、例えば、管理サーバ１４０を備える。
【００２２】
本実施形態において、車両１２０は、例えば、車両制御部１２２と、自己位置推定部１２４と、駆動システム１２６と、電源システム１２８とを有する。車両１２０の各部は、例えば、互いに情報を送受するよう構成される。本実施形態において、管理サーバ１４０は、例えば、車両管理部１４２と、精算管理部１４４とを備える。管理サーバ１４０の各部は、例えば、互いに情報を送受するよう構成される。
【００２３】
車両１２０及び管理サーバ１４０は、例えば、通信ネットワーク１０を介して、互いに情報を送受するように構成される。車両１２０及び管理サーバ１４０の少なくとも一方は、車両１２０のユーザ２０が利用する通信端末２２との間で情報を送受するように構成されてよい。ユーザ２０は、車両１２０を所有する所有者であってもよく、車両１２０を利用する利用者であってもよい。
【００２４】
本実施形態において、通信ネットワーク１０は、有線通信の伝送路であってもよく、無線通信の伝送路であってもよく、無線通信の伝送路及び有線通信の伝送路の組み合わせであってもよい。通信ネットワーク１０は、無線パケット通信網、インターネット、Ｐ２Ｐネットワーク、専用回線、ＶＰＮ、電力線通信回線などを含んでもよい。通信ネットワーク１０は、（ｉ）携帯電話回線網などの移動体通信網を含んでもよく、（ｉｉ）無線ＭＡＮ（例えば、ＷｉＭＡＸ（登録商標）である。）、無線ＬＡＮ（例えば、ＷｉＦｉ（登録商標）である。）、Ｂｌｕｅｔｏｏｔｈ（登録商標）、Ｚｉｇｂｅｅ（登録商標）、ＮＦＣ（Ｎｅａｒ  Ｆｉｅｌｄ  Ｃｏｍｍｕｎｉｃａｔｉｏｎ）などの無線データ通信網を含んでもよい。通信ネットワーク１０は、車車間通信（Ｖ２Ｖと称される場合がある）、路車間通信（Ｖ２Ｉと称される場合がある）、歩車間通信（Ｖ２Ｐと称される場合がある。）などのＶ２Ｘ向けのネットワークを含んでよい。
【００２５】
本実施形態において、通信端末２２は、ユーザ２０が利用する情報処理装置であればよく、その詳細については特に限定されない。通信端末２２としては、パーソナルコンピュータ、携帯端末などが例示される。携帯端末としては、携帯電話、スマートフォン、ＰＤＡ、タブレット、ノートブック・コンピュータ又はラップトップ・コンピュータ、ウエアラブル・コンピュータなどが例示される。
【００２６】
本実施形態において、車両管理システム１００は、１以上の車両１２０を管理する。例えば、車両管理システム１００は、１以上の車両１２０のそれぞれの利用状況を管理する。車両１２０のユーザは、例えば、車両１２０を利用する際に、車両１２０の利用料金を支払う。利用料金の支払い方式は、前払い方式であってもよく、後払い方式であってもよい。この場合、車両管理システム１００は、１以上の車両１２０のそれぞれに関する利用料金の支払状況を管理してもよい。
【００２７】
車両管理システム１００は、１以上の電源システム１２８のそれぞれの利用状況を管理してもよい。車両１２０のユーザは、例えば、車両１２０を利用する際に、車両１２０に搭載された電源システム１２８の利用料金を支払う。利用料金の支払い方式は、前払い方式であってもよく、後払い方式であってもよい。この場合、車両管理システム１００は、１以上の電源システム１２８のそれぞれの利用料金の支払い状況を管理してもよい。
【００２８】
本実施形態において、車両管理システム１００は、管理対象となる車両１２０又は電源システム１２８に異常が発生したり、利用料金の支払に遅延が発生したりした場合に、ユーザ２０による車両１２０又は電源システム１２８の利用を制限する。本実施形態において、ユーザ２０の都合、安全などが考慮された適切なタイミングにおいて、車両１２０又は電源システム１２８の利用が制限され得る。本実施形態において、蓄電池、又は燃料電池用の燃料カートリッジが交換される前の適切なタイミングにおいて、車両１２０又は電源システム１２８の利用が制限され得る。
【００２９】
上記の異常が解消した場合、車両管理システム１００は、上記の制限を解除する。上記の利用料金の支払いが完了したり、当該支払いに対する担保が提供されたり、当該支払いが保証されたりした場合、車両管理システム１００は、上記の制限を解除する。
【００３０】
本実施形態において、車両１２０は、人及び物品の少なくとも一方を運搬する作業（運搬作業と称される場合がある。）を実施する。車両１２０は、運転者の操作により運搬作業を実施してもよく、自動運転により運搬作業を実施してもよい。なお、車両１２０により実施される作業は運搬作業に限定されない。車両１２０は、電力を利用して、運搬作業に代えて又は運搬作業と伴に、任意の作業を実施してよい。
【００３１】
車両１２０としては、自動車、自動二輪車、電車などが例示される。自動二輪車としては、（ｉ）バイク、（ｉｉ）三輪バイク、（ｉｉｉ）セグウェイ（登録商標）、動力ユニット付きキックボード（登録商標）、動力ユニット付きスケートボードのような、動力ユニットを有する立ち乗り二輪車又は三輪車などが例示される。
【００３２】
本実施形態において、車両制御部１２２は、車両１２０の各部を制御する。例えば、車両制御部１２２は、駆動システム１２６の動作を制御する。車両制御部１２２は、電源システム１２８の動作を制御してもよい。一実施形態において、車両制御部１２２は、管理サーバ１４０の車両管理部１４２から、車両１２０又は電源システム１２８の利用を制限するための信号（制限信号と称される場合がある。）を受信する。この場合、車両制御部１２２は、例えば、制限信号を電源システム１２８に送信する。他の実施形態において、車両制御部１２２は、車両管理部１４２から、車両１２０又は電源システム１２８の利用に関する制限を解除するための信号（解除信号と称される場合がある。）を受信する。この場合、車両制御部１２２は、例えば、解除信号を電源システム１２８に送信する。車両制御部１２２の詳細は後述される。
【００３３】
本実施形態において、自己位置推定部１２４は、車両管理システム１００の位置を推定する。自己位置推定部１２４は、（ｉ）ＧＰＳ信号を利用して現在位置を推定する測位システム、（ｉｉ）無線信号の電波強度を利用して現在位置を推定するシステム、及び、（ｉｉｉ）加速度センサ、ジャイロセンサ、地磁気センサ、ロータリエンコーダなどの内界センサからの出力を利用して、基準点からの変位を算出することにより現在位置を推定するシステムの少なくとも１つを含んでよい。
【００３４】
本実施形態において、駆動システム１２６は、電源システム１２８から供給される電力を利用して、車両１２０を移動させる。駆動システム１２６は、電源システム１２８から供給された電気エネルギーを、力学的エネルギーに変換する電動機（図示されていない。）を有してよい。駆動システム１２６は、電動機が発生させた動力を利用して、車両１２０を移動させてよい。電源システム１２８からの電力の供給が停止されると、駆動システム１２６は、車両１２０を移動させることができない。電源システム１２８から供給される電力が小さくなると、駆動システム１２６は車両１２０を高速に移動させることができない。
【００３５】
本実施形態において、電源システム１２８は、車両１２０の各部に電力を供給する。電源システム１２８は、燃料電池を含んでよい。一実施形態において、電源システム１２８は、車両制御部１２２から制限信号を取得する。この場合、電源システム１２８は、例えば、制限信号が取得された後、ユーザ２０の都合、安全などが考慮されたタイミングであって、極力早いタイミングにおいて、電源システム１２８から駆動システム１２６への電力の供給を制限する。他の実施形態において、電源システム１２８は、車両制御部１２２から解除信号を取得する。この場合、例えば、電源システム１２８から駆動システム１２６への電力の供給に関する制限を解除する。電源システム１２８の詳細は後述される。
【００３６】
本実施形態において、管理サーバ１４０は、１以上の車両１２０を管理する。本実施形態において、車両管理部１４２は、１以上の車両１２０のそれぞれの利用状況を管理する。車両管理部１４２は、車両１２０に異常が発生したことを検出してよい。車両管理部１４２は、１以上の電源システム１２８の利用状況を管理してもよい。車両管理部１４２は、電源システム１２８に異常が発生したことを検出してよい。車両管理部１４２は、予め定められた条件が成立した場合に、車両１２０又は電源システム１２８の利用を制限したり、当該制限を解除したりしてよい。車両管理部１４２は、電源システム１２８の利用を制限することで、車両１２０の利用を制限してもよい。車両管理部１４２の詳細は後述される。
【００３７】
本実施形態において、精算管理部１４４は、１以上の車両１２０のそれぞれについて、利用権限の変動を管理する。例えば、１以上の車両１２０のそれぞれに関する利用料金の支払状況を管理する。車両管理システム１００は、１以上の電源システム１２８のそれぞれについて、利用権限の変動を管理する。例えば、１以上の電源システム１２８のそれぞれの利用料金の支払状況を管理してもよい。
【００３８】
利用権限の変動としては、利用権限の発生、変更及び消滅が例示される。例えば、車両１２０の利用料金が支払われたり、当該利用料金の支払いに関する担保が提供されたり、当該利用料金の支払いが保証されたりした場合に、車両１２０の利用権限が発生する。例えば、車両１２０の利用に関する契約内容が変更された場合に、車両１２０の利用権限が変更される。例えば、車両１２０の利用権限の有効期限が徒過したり、車両１２０の利用料金の支払期限が徒過したりした場合に、車両１２０の利用権限が消滅する。
【００３９】
一実施形態において、精算管理部１４４は、１以上の車両１２０のそれぞれについて、利用料金の支払状況を監視して、特定の車両１２０に関する利用権限が消滅したことを検出する。例えば、精算管理部１４４は、支払い遅延（延滞又は滞納などと称される場合がある。）の発生を検出する。精算管理部１４４は、特定の車両１２０に関する利用権限が消滅したことを示す情報を、車両管理部１４２に出力してよい。
【００４０】
他の実施形態において、精算管理部１４４は、１以上の車両１２０のそれぞれについて、利用料金の支払状況を監視して、特定の車両１２０に関する利用権限が発生したことを検出する。例えば、精算管理部１４４は、利用料金の支払い、支払い遅延の解消などを検出する。精算管理部１４４は、特定の車両１２０に関する利用権限が発生したことを示す情報を、車両管理部１４２に出力してよい。
【００４１】
車両管理システム１００は、制御装置、管理装置及び管理システムの一例であってよい。車両１２０は、作業機械の一例であってよい。駆動システム１２６は、作業機械の一例であってよい。電源システム１２８は、電力供給装置の一例であってよい。管理サーバ１４０は、管理装置の一例であってよい。車両管理部１４２は、管理装置の一例であってよい。制限信号は、制限要求の一例であってよい。解除信号は、解除要求の一例であってよい。
【００４２】
本実施形態においては、車両管理システム１００が、１以上の車両１２０を管理する場合を例として、車両管理システム１００の詳細が説明される。しかしながら、車両管理システム１００は、本実施形態に限定されない。他の実施形態において、車両管理システム１００は、１以上の車両１２０に搭載された１以上の電源システム１２８を管理してもよい。電源システム１２８の管理は、例えば、車両１２０の管理手順と同様の手順に従って実行される。
【００４３】
本実施形態においては、作業機械の一例である車両１２０が運輸作業を実施する場合を例として、作業機械の詳細が説明された。しかしながら、作業機械は、車両１２０に限定されない。作業機械の他の例としては、運輸機器、輸送機器、清掃機器、空調機器、照明機器、ロボットなどが例示される。運輸機器としては、移動体、重機、農作業機、除雪機、エレベータ、エスカレータなどが例示される。移動体としては、車両、船舶、飛行体などが例示される。船舶としては、船、ホバークラフト、水上バイク、潜水艦、潜水艇、水中スクータなどを例示することができる。飛行体としては、飛行機、飛行船又は風船、気球、ヘリコプター、ドローンなどを例示することができる。輸送機器としては、ポンプ、ブロワ、噴霧器、洗浄機などが例示される。清掃機器としては、掃除機、洗濯機などが例示される。
【００４４】
本実施形態においては、車両制御部１２２が、制限信号及び解除信号を電源システム１２８に転送し、電源システム１２８のコントローラが、電力供給に関する制限の実行及び解除を決定する場合を例として、車両１２０の詳細が説明された。しかしながら、車両１２０は、本実施形態に限定されない。他の実施形態において、車両制御部１２２が、制限信号及び解除信号を受信し、電力供給に関する制限の実行及び解除を決定してもよい。この場合、車両制御部１２２は、制御装置の一例であってよい。
【００４５】
［車両管理システム１００の各部の具体的な構成］
車両管理システム１００の各部は、ハードウエアにより実現されてもよく、ソフトウエアにより実現されてもよく、ハードウエア及びソフトウエアにより実現されてもよい。車両管理システム１００の各部は、その少なくとも一部が、単一のサーバによって実現されてもよく、複数のサーバによって実現されてもよい。車両管理システム１００の各部は、その少なくとも一部が、仮想マシン上又はクラウドシステム上で実現されてもよい。車両管理システム１００の各部は、その少なくとも一部が、パーソナルコンピュータ又は携帯端末によって実現されてもよい。携帯端末としては、携帯電話、スマートフォン、ＰＤＡ、タブレット、ノートブック・コンピュータ又はラップトップ・コンピュータ、ウエアラブル・コンピュータなどが例示される。車両管理システム１００の各部は、ブロックチェーンなどの分散型台帳技術又は分散型ネットワークを利用して、情報を格納してもよい。
【００４６】
車両管理システム１００を構成する構成要素の少なくとも一部がソフトウエアにより実現される場合、当該ソフトウエアにより実現される構成要素は、一般的な構成の情報処理装置において、当該構成要素に関する動作を規定したプログラムを起動することにより実現されてよい。上記の情報処理装置は、例えば、（ｉ）ＣＰＵ、ＧＰＵなどのプロセッサ、ＲＯＭ、ＲＡＭ、通信インタフェースなどを有するデータ処理装置と、（ｉｉ）キーボード、タッチパネル、カメラ、マイク、各種センサ、ＧＰＳ受信機などの入力装置と、（ｉｉｉ）表示装置、スピーカ、振動装置などの出力装置と、（ｉｖ）メモリ、ＨＤＤなどの記憶装置（外部記憶装置を含む。）とを備える。
【００４７】
上記の情報処理装置において、上記のデータ処理装置又は記憶装置は、プログラムを格納してよい。上記のプログラムは、非一時的なコンピュータ可読記録媒体に格納されてよい。上記のプログラムは、プロセッサによって実行されることにより、上記の情報処理装置に、当該プログラムによって規定された動作を実行させる。
【００４８】
プログラムは、非一時的なコンピュータ可読記録媒体に格納されていてもよい。プログラムは、ＣＤ−ＲＯＭ、ＤＶＤ−ＲＯＭ、メモリ、ハードディスクなどのコンピュータ読み取り可能な媒体に記憶されていてもよく、ネットワークに接続された記憶装置に記憶されていてもよい。プログラムは、コンピュータ読み取り可能な媒体又はネットワークに接続された記憶装置から、車両管理システム１００の少なくとも一部を構成するコンピュータにインストールされてよい。プログラムが実行されることにより、コンピュータが、車両管理システム１００の各部の少なくとも一部として機能してもよい。
【００４９】
コンピュータを車両管理システム１００の各部の少なくとも一部として機能させるプログラムは、車両管理システム１００の各部の動作を規定したモジュールを備えてよい。これらのプログラム又はモジュールは、データ処理装置、入力装置、出力装置、記憶装置等に働きかけて、コンピュータを車両管理システム１００の各部として機能させたり、コンピュータに車両管理システム１００の各部における情報処理方法を実行させたりする。
【００５０】
プログラムに記述された情報処理は、当該プログラムがコンピュータに読込まれることにより、当該プログラムに関連するソフトウエアと、車両管理システム１００の各種のハードウエア資源とが協働した具体的手段として機能する。そして、上記の具体的手段が、本実施形態におけるコンピュータの使用目的に応じた情報の演算又は加工を実現することにより、当該使用目的に応じた車両管理システム１００が構築される。
【００５１】
上記のプログラムは、車両１２０のコンピュータを、車両制御部１２２として機能させるためのプログラムであってよい。上記のプログラムは、車両１２０のコンピュータに、車両制御部１２２における情報処理方法を実行させるためのプログラムであってよい。上記のプログラムは、電源システム１２８のコンピュータを、電源システム１２８のコントローラとして機能させるためのプログラムであってよい。上記のプログラムは、電源システム１２８のコンピュータに、電源システム１２８における情報処理方法を実行させるためのプログラムであってよい。上記のプログラムは、コンピュータを、管理サーバ１４０として機能させるためのプログラムであってよい。上記のプログラムは、コンピュータに、管理サーバ１４０における情報処理方法を実行させるためのプログラムであってよい。
【００５２】
上記の情報処理方法は、作業機械に電力を供給する電力供給装置を制御する制御方法であってよい。上記の電力供給装置は、例えば、燃料電池を備える。上記の制御方法は、例えば、通信ネットワークを介して、電力供給装置から作業機械への電力の供給を制限することを要求する制限要求を取得する制限要求取得段階を有する。上記の制御方法は、例えば、制限要求取得段階において制限要求が取得された場合に、電力供給装置から作業機械への電力の供給を制限する制限段階を有する。
【００５３】
上記の情報処理方法は、作業機械に電力を供給する電力供給装置を管理する管理方法であってよい。上記の電力供給装置は、例えば、燃料電池を備える。上記の管理方法は、例えば、作業機械及び電力供給装置の少なくとも一方に関する予め定められた第１イベントの発生を検出するイベント検出段階を有する。上記の管理方法は、例えば、イベント検出段階において第１イベントの発生が検出された場合に、電力供給装置から作業機械への電力の供給を制限することを要求する制限要求を、通信ネットワークを介して、作業機械及び電力供給装置の少なくとも一方に送信する制限要求送信段階を有する。
【００５４】
図２は、車両制御部１２２の内部構成の一例を概略的に示す。本実施形態において、車両制御部１２２は、通信制御部２２２と、入出力制御部２２４と、駆動制御部２２６と、電源制御部２２８とを備える。
【００５５】
本実施形態において、通信制御部２２２は、車両１２０と、通信端末２２及び管理サーバ１４０の少なくとも一方との間の通信を制御する。通信制御部２２２は、各種の通信インターフェースであってよい。通信制御部２２２は、車両制御部１２２の各部が出力した情報を、通信端末２２及び管理サーバ１４０の少なくとも一方に送信する。通信制御部２２２は、通信端末２２及び１４０の少なくとも一方から取得した情報を、入出力制御部２２４、駆動制御部２２６及び電源制御部２２８の少なくとも１つに出力してよい。
【００５６】
本実施形態において、入出力制御部２２４は、ユーザ２０からの入力を受け付ける入力装置を制御する。入出力制御部２２４は、ユーザ２０が入力装置に入力した情報を、管理サーバ１４０に送信してよい。入出力制御部２２４は、ユーザ２０が入力装置に入力した情報を、駆動制御部２２６及び電源制御部２２８の少なくとも一方に出力してよい。入力装置としては、タッチパネル、キーボード、ポインティングデバイス、マイク、音声入力システム、音声解析システム、カメラ、ジェスチャ入力システム、画像解析システムなどが例示される。
【００５７】
本実施形態において、入出力制御部２２４は、ユーザ２０に情報を出力する出力装置を制御する。入出力制御部２２４は、通信制御部２２２、駆動制御部２２６及び電源制御部２２８の少なくとも１つから取得した情報を、ユーザ２０に出力してよい。出力装置としては、ディスプレイ、プロジェクタ、スピーカなどが例示される。
【００５８】
本実施形態において、駆動制御部２２６は、駆動システム１２６の動作を制御して、車両１２０の移動を制御する。駆動制御部２２６は、例えば、車両１２０の発進、加速、減速、方向転換、停止などを制御する。これにより、運輸作業が実施される。
【００５９】
本実施形態において、電源制御部２２８は、電源システム１２８の動作を制御して、電源システム１２８から車両１２０の各部への電力の供給を制御する。特に、電源制御部２２８は、電源システム１２８から駆動システム１２６への電力の供給を制御してよい。
【００６０】
電源制御部２２８は、電源システム１２８の起動及び停止を制御してよい。例えば、入出力制御部２２４が、ユーザ２０からの命令であって車両１２０の利用を開始するための命令を取得すると、電源制御部２２８は、電源システム１２８を起動するための命令を、電源システム１２８に送信する。同様に、入出力制御部２２４が、ユーザ２０からの命令であって車両１２０の利用を終了するための命令を取得すると、電源制御部２２８は、電源システム１２８を終了するための命令を、電源システム１２８に送信する。
【００６１】
電源システム１２８の出力電圧、出力電流、出力電力及び出力レートの少なくとも１つを制御してもよい。電源制御部２２８は、電源システム１２８の運転モードを制御してもよい。運転モードは、例えば、（ｉ）出力電力の大きさ、（ｉｉ）出力命令に対する追従性又は応答性、（ｉｉｉ）燃費又は発電効率、及び、（ｉｖ）劣化の抑制からなる群から選択される１又は複数の特性を、選択されていない他の特性よりも優先させるための運転条件と対応付けられてよい。
【００６２】
本実施形態において、通信制御部２２２が制限信号を受信した場合、電源制御部２２８は、当該制限信号を電源制御部２２８に転送する。同様に、通信制御部２２２が解除信号を受信した場合、電源制御部２２８は、当該解除信号を電源システム１２８に転送してよい。
【００６３】
図３は、電源システム１２８の内部構成の一例を概略的に示す。本実施形態において、電源システム１２８は、発電システム３０２と、蓄電システム３０４と、電力変換部３０６と、システム制御部３０８とを備える。
【００６４】
本実施形態において、発電システム３０２は、燃料電池を用いて電力を発生させる。発電システム３０２は、発生させた電力を車両１２０の各部に供給してよい。例えば、発電システム３０２は、発生させた電力を、電力変換部３０６を介して車両１２０の各部に供給する。発電システム３０２の詳細は後述される。
【００６５】
本実施形態において、蓄電システム３０４は、電力を蓄積する。蓄電システム３０４は、電力変換部３０６を介して電力を受領し、当該電力を蓄積する。一実施形態において、蓄電システム３０４は、発電システム３０２が発生させた電力を蓄積する。他の実施形態において、蓄電システム３０４は、駆動システム１２６からの回生電力を蓄積する。蓄電システム３０４は、蓄積された電力を車両１２０の各部に供給してよい。例えば、蓄電システム３０４は、蓄積された電力を、電力変換部３０６を介して車両１２０の各部に供給する。
【００６６】
本実施形態において、電力変換部３０６は、電力を変換する。電力変換部３０６は、直流を交流に変換してもよく、交流を直流に変換してもよく、入力された直流電圧を別の直流電圧に変換してもよい。電力変換部３０６は、双方向ＤＣ−ＤＣコンバータを含んでよい。
【００６７】
電力変換部３０６は、電力の流通状態を切り替えてよい。電力変換部３０６は、入力された電力の供給先を切り替えてよい。電力変換部３０６は、発電システム３０２が発生させた電力を、車両１２０の各部に供給してよい。電力変換部３０６は、発電システム３０２が発生させた電力を、蓄電システム３０４に供給してもよい。電力変換部３０６は、蓄電システム３０４が蓄積した電力を、発電システム３０２に供給してもよい。電力変換部３０６は、蓄電システム３０４が蓄積した電力を、車両１２０の各部に供給してよい。電力変換部３０６は、駆動システム１２６からの回生電力を、蓄電システム３０４に供給してよい。
【００６８】
本実施形態において、システム制御部３０８は、電源システム１２８を制御する。より具体的には、システム制御部３０８は、発電システム３０２及び電力変換部３０６の少なくとも一方の動作を制御して、電源システム１２８の出力を調整する。
【００６９】
一実施形態において、システム制御部３０８は、発電システム３０２の動作を制御して、発電量を調整する。システム制御部３０８は、電源制御部２２８からの命令に従って、発電システム３０２の動作を制御してよい。
【００７０】
例えば、システム制御部３０８は、発電システム３０２の起動及び停止を制御する。システム制御部３０８は、発電システム３０２の出力電圧、出力電流、出力電力及び出力レートの少なくとも１つを制御してもよい。システム制御部３０８は、発電システム３０２の運転モードを制御してもよい。
【００７１】
システム制御部３０８は、制限信号に基づいて、発電システム３０２の動作を制御してよい。システム制御部３０８は、解除信号に基づいて、発電システム３０２の動作を制御してもよい。
【００７２】
他の実施形態において、システム制御部３０８は、電力変換部３０６の動作を制御して、電源システム１２８から車両１２０の各部に供給される電力量を調整する。システム制御部３０８は、電源制御部２２８からの命令に従って、電力変換部３０６の動作を制御してよい。
【００７３】
例えば、システム制御部３０８は、電源システム１２８から車両１２０の各部に電力を供給するか否かを制御する。システム制御部３０８は、電源システム１２８から、車両１２０の特定の機器（例えば、駆動システム１２６である。）に電力を供給するか否かを制御してもよい。システム制御部３０８は、電源システム１２８から車両１２０の各部に供給される電力の出力電圧、出力電流、出力電力及び出力レートの少なくとも１つを制御する。システム制御部３０８は、発電システム３０２から供給される電力と、蓄電システム３０４から供給される電力とのバランスを調整してよい。
【００７４】
システム制御部３０８は、制限信号に基づいて、電力変換部３０６の動作を制御してよい。システム制御部３０８は、解除信号に基づいて、電力変換部３０６の動作を制御してもよい。システム制御部３０８の詳細は後述される。
【００７５】
［発電システム３０２の各部の概要］
図３を用いて、発電システム３０２の内部構成の一例が説明される。本実施形態において、発電システム３０２は、燃料電池ユニット３１０と、燃料供給ユニット３１２と、酸化剤供給ユニット３１４と、温度調整媒体供給ユニット３１６とを備える。本実施形態において、燃料電池ユニット３１０は、通信コネクタ３２２と、電力コネクタ３２４と、発電用ユーティリティコネクタ３２６とを備える。本実施形態において、燃料電池ユニット３１０は、ＦＣ制御部３３０と、発電部３４０と、補機用バッテリ３５０とを備える。
【００７６】
本実施形態において、燃料電池ユニット３１０は、燃料供給ユニット３１２から供給された燃料と、酸化剤供給ユニット３１４から供給された燃料とを利用して、電力を発生させる。燃料電池ユニット３１０の温度は、温度調整媒体供給ユニット３１６から供給される温度調整媒体によって調整される。燃料電池ユニット３１０が発生させた電力は、例えば、電力変換部３０６を介して、車両１２０の各部に供給される。本実施形態において、燃料電池ユニット３１０は、燃料供給ユニット３１２、酸化剤供給ユニット３１４及び温度調整媒体供給ユニット３１６の少なくとも１つの動作を制御してもよい。燃料電池ユニット３１０は、システム制御部３０８からの命令に従って動作してよい。
【００７７】
本実施形態において、燃料電池ユニット３１０は、少なくとも、ＦＣ制御部３３０と、発電部３４０と、配管及び配線とが、パッケージ化されたユニットであってよい。燃料電池ユニット３１０は、少なくとも、ＦＣ制御部３３０と、発電部３４０と、補機用バッテリ３５０と、配管及び配線とが、パッケージ化されたユニットであってよい。燃料電池ユニット３１０の構成部品は、単一の筐体に収容されていてもよく、複数の筐体に分割して収容されていてもよい。
【００７８】
本実施形態において、燃料電池ユニット３１０は、例えば、発電システム３０２に配されたユーティリティ配管及び電力ケーブルと接続されることで、発電システム３０２に取り付けられる。燃料電池ユニット３１０は、発電システム３０２に配されたユーティリティ配管、電力ケーブル及び通信ケーブルと接続されることで、発電システム３０２に取り付けられてもよい。これにより、燃料電池ユニット３１０が、車両１２０に搭載される。
【００７９】
一実施形態において、燃料電池ユニット３１０は、車両１２０の一般利用者が容易に取り外すことができないように、発電システム３０２に取り付けられる。燃料電池ユニット３１０は、例えば、発電システム３０２の所定の位置に固定される。
【００８０】
他の実施形態において、燃料電池ユニット３１０は、発電システム３０２に着脱自在に取り付けられる。これにより、車両１２０の一般利用者は、車両１２０から取り外された燃料電池ユニット３１０を他の作業機械に取り付けて、燃料電池ユニット３１０が発生させた電力で、当該他の作業機械を作動させることができる。
【００８１】
本実施形態において、燃料供給ユニット３１２は、燃料電池ユニット３１０に、発電用の燃料を供給する。発電用の燃料は、水素であってもよく、水素を含む化合物であってもよい。燃料供給ユニット３１２は、燃料の流量を測定するセンサ（図示されていない。）と、燃料の流量を調整する流量調整部（図示されていない。）とを備えてよい。燃料供給ユニット３１２は、燃料電池ユニット３１０からの命令に従って動作してよい。
【００８２】
一実施形態において、燃料供給ユニット３１２には、外部から燃料が補充される。燃料供給ユニット３１２は外部から補充される燃料を受領するための補充配管及び燃料容器（図示されていない。）を有してよい。燃料供給ユニット３１２は、外部から補充配管へのアクセスを許可又は禁止するための部材を有してよい。上記の部材は、補充配管の一端に配された蓋又は栓であってよい。燃料供給ユニット３１２は、システム制御部３０８からの命令に従って、上記の部材を補充配管から取り外すことができない状態と、上記の部材を補充配管から取り外すことができる状態とを切り替えてよい。
【００８３】
他の実施形態において、燃料供給ユニット３１２は、交換式の燃料カートリッジ（図示されていない。）を有してよい。燃料供給ユニット３１２は、燃料供給ユニット３１２は、システム制御部３０８からの命令に従って、上記の燃料カートリッジを燃料供給ユニット３１２から取り外すことができない状態と、上記の燃料カートリッジを燃料供給ユニット３１２から取り外すことができる状態とを切り替えてよい。
【００８４】
本実施形態において、酸化剤供給ユニット３１４は、燃料電池ユニット３１０に、発電用の酸化剤を供給する。発電用の酸化剤は、酸素であってもよく、空気であってもよい。酸化剤供給ユニット３１４は、酸化剤の流量を測定するセンサ（図示されていない。）と、酸化剤の流量を調整する流量調整部（図示されていない。）とを備えてよい。酸化剤供給ユニット３１４は、燃料電池ユニット３１０からの命令に従って動作してよい。
【００８５】
酸化剤供給ユニット３１４は、発電システム３０２の外部から、酸化剤となる空気を吸引するためのポンプ又はブロワ（図示されていない。）を有してよい。酸化剤供給ユニット３１４は、車両１２０に配された給気配管（図示されていない。）と接続されていてもよい。
【００８６】
本実施形態において、温度調整媒体供給ユニット３１６は、燃料電池ユニット３１０に、燃料電池ユニット３１０の発電スタックの温度を調整するための温度調整媒体を供給する。温度調整媒体としては、水、エチレングリコール、ロング・ライフ・クーラント（ＬＬＣと称される場合がある。）などが例示される。温度調整媒体供給ユニット３１６は、温度調整媒体の流量を測定するセンサ（図示されていない。）と、温度調整媒体の流量を調整する流量調整部（図示されていない。）とを備えてよい。温度調整媒体供給ユニット３１６は、燃料電池ユニット３１０からの命令に従って動作してよい。温度調整媒体供給ユニット３１６は、温度調整媒体の温度を調整するための熱交換器（図示されていない。）を備えてもよい。熱交換器としては、ラジエータが例示される。
【００８７】
［燃料電池ユニット３１０の各部の概要］
本実施形態において、通信コネクタ３２２は、燃料電池ユニット３１０に配された通信ケーブルと、発電システム３０２に配された通信ケーブルとを接続する。燃料電池ユニット３１０に配された通信ケーブル、及び、発電システム３０２に配された通信ケーブルは、有線接続されてもよく、無線接続されてもよい。燃料電池ユニット３１０は、無線通信機器を介して、発電システム３０２に配された通信ケーブル、システム制御部３０８又は車両制御部１２２との間で情報を送受してもよい。
【００８８】
本実施形態において、電力コネクタ３２４は、燃料電池ユニット３１０に配された電力ケーブルと、発電システム３０２に配された電力ケーブルとを電気的に接続する。燃料電池ユニット３１０に配された電力ケーブル、及び、発電システム３０２に配された電力ケーブルは、有線接続されてもよく、無線接続されてもよい。燃料電池ユニット３１０は、無線給電機器を介して、車両１２０又は電力変換部３０６と電気的に接続されてもよい。
【００８９】
これにより、発電システム３０２と、燃料電池ユニット３１０との間で、電力の授受が可能になる。その結果、電力変換部３０６と、燃料電池ユニット３１０との間で、電力の授受が可能となり、車両１２０又は蓄電システム３０４と、燃料電池ユニット３１０との間で、電力の授受が可能になる。
【００９０】
本実施形態において、発電用ユーティリティコネクタ３２６は、燃料電池ユニット３１０に配されたユーティリティ配管と、発電システム３０２に配されたユーティリティ配管とを接続する。これにより、発電システム３０２と、燃料電池ユニット３１０との間で、燃料電池ユニット３１０の運転に利用されるユーティリティの授受が可能になる。その結果、車両１２０又は発電システム３０２と、燃料電池ユニット３１０との間で、ユーティリティの授受が可能になる。
【００９１】
例えば、燃料供給ユニット３１２と、燃料電池ユニット３１０との間で燃料の授受が可能になる。酸化剤供給ユニット３１４と、燃料電池ユニット３１０との間で酸化剤の授受が可能になる。温度調整媒体供給ユニット３１６と、燃料電池ユニット３１０との間で、温度調整媒体又は熱の授受が可能になる。また、燃料電池ユニット３１０と、車両１２０又は発電システム３０２との間で、燃料電池ユニット３１０における発電に伴い発生した排水及び排ガスの送受が可能になる。
【００９２】
本実施形態において、ＦＣ制御部３３０は、燃料電池ユニット３１０を制御する。例えば、ＦＣ制御部３３０は、燃料電池ユニット３１０の発電を制御する。ＦＣ制御部３３０は、燃料電池ユニット３１０の出力電圧、出力電流、出力電力、及び、出力レートの少なくとも１つを制御してよい。ＦＣ制御部３３０は、燃料供給ユニット３１２、酸化剤供給ユニット３１４及び温度調整媒体供給ユニット３１６の少なくとも１つの動作を制御することで、燃料電池ユニット３１０の発電を制御してよい。ＦＣ制御部３３０は、システム制御部３０８からの命令に従って動作してよい。
【００９３】
本実施形態において、発電部３４０は、電気を発生させる。発電部３４０は、燃料電池を備えてよい。燃料電池は、燃料供給ユニット３１２から供給された燃料と、酸化剤供給ユニット３１４から供給された酸化剤とを反応させて、電気を発生させる。発電部３４０は、電力コネクタ３２４と電気的に接続されていてよい。発電部３４０は、補機用バッテリ３５０と電気的に接続されていてよい。発電部３４０は、発生した電気の一部を補機用バッテリ３５０に供給してよい。
【００９４】
上述のとおり、発電部３４０を起動するためには、酸化剤及び燃料を発電部に供給する燃料供給ユニット３１２及び酸化剤供給ユニット３１４を起動するための電力が必要となる。特に、酸化剤供給ユニット３１４は、酸化剤としての空気を発電部３４０に圧送するためのファンを備えることが多い。しかしながら、上記のファンの消費電力量は比較的大きい。そのため、発電部３４０の起動に備えて、酸化剤供給ユニット３１４を作動させるための電力が確保されていることが望ましい。
【００９５】
本実施形態において、補機用バッテリ３５０は、燃料供給ユニット３１２、酸化剤供給ユニット３１４及び温度調整媒体供給ユニット３１６の少なくとも１つを起動するための電力を蓄積する。補機用バッテリ３５０は、酸化剤供給ユニット３１４を起動するための電力を蓄積してもよい。補機用バッテリ３５０は、電力コネクタ３２４と電気的に接続されていてよい。補機用バッテリ３５０は、電力変換部３０６から供給された電力を蓄積してよい。補機用バッテリ３５０は、発電部３４０と電気的に接続されていてよい。補機用バッテリ３５０は、発電部３４０から供給された電力を蓄積してよい。
【００９６】
なお、燃料供給ユニット３１２、酸化剤供給ユニット３１４及び温度調整媒体供給ユニット３１６の少なくとも１つは、燃料電池ユニット３１０の起動時に、蓄電システム３０４から供給された電力を利用して作動するように構成されていてもよい。燃料供給ユニット３１２、酸化剤供給ユニット３１４及び温度調整媒体供給ユニット３１６の少なくとも１つは、燃料電池ユニット３１０の起動時に、蓄電システム３０４から供給された電力と、燃料電池ユニット３１０が発電した電力とを利用して作動するように構成されていてもよい。
【００９７】
燃料供給ユニット３１２、酸化剤供給ユニット３１４及び温度調整媒体供給ユニット３１６の少なくとも１つは、燃料電池ユニット３１０の起動時に、補機用バッテリ３５０の残容量が予め定められた数値範囲の範囲外である場合、蓄電システム３０４から供給された電力を利用して作動するように構成されていてもよい。
【００９８】
「数値範囲」は、上限及び下限の両方が定められている場合に限定されない。「数値範囲」は、上限だけが定められていてもよく、下限だけが定められていてもよい。
【００９９】
酸化剤供給ユニット３１４は、発電部３４０の発電量が予め定められた条件を満足するようになった後、発電部３４０が発生させた電力を利用して作動してよい。例えば、発電部３４０の発電量が予め定められた閾値よりも小さい場合、酸化剤供給ユニット３１４は、補機用バッテリ３５０又は蓄電システム３０４から供給された電力を利用して、発電部３４０に酸化剤を供給する。発電部３４０の発電量が上記の閾値よりも大きい場合、酸化剤供給ユニット３１４は、発電部３４０が発生させた電力を利用して、発電部３４０に酸化剤を供給する。
【０１００】
酸化剤供給ユニット３１４が、補機用バッテリ３５０又は蓄電システム３０４から供給された電力を利用している場合の酸化剤の供給量は、酸化剤供給ユニット３１４が、発電部３４０が発生させた電力を利用している場合の酸化剤の供給量よりも小さくてよい。酸化剤供給ユニット３１４が、発電部３４０が発生させた電力を利用している場合、酸化剤の供給量は、発電部３４０が発生させる電力の大きさに応じて変動してよい。酸化剤の供給量は、発電部３４０が発生させる電力の大きさに応じて連続的に変動してもよく、段階的に変動してもよい。
【０１０１】
なお、本実施形態においては、燃料電池ユニット３１０が、燃料供給ユニット３１２、酸化剤供給ユニット３１４及び温度調整媒体供給ユニット３１６を含まない場合を例として、燃料電池ユニット３１０の詳細が説明された。しかしながら、燃料電池ユニット３１０は本実施形態に限定されない。本実施形態において、燃料電池ユニット３１０は、燃料供給ユニット３１２、酸化剤供給ユニット３１４及び温度調整媒体供給ユニット３１６の少なくとも１つを含んでよい。
【０１０２】
本実施形態においては、燃料電池ユニット３１０がパッケージ化されたユニットである場合を例として、電源システム１２８の詳細が説明された。しかしながら、電源システム１２８は、本実施形態に限定されない。他の実施形態において、発電システム３０２がパッケージ化されたユニットであってもよい。さらに他の実施形態において、電源システム１２８がパッケージ化されたユニットであってもよい。
【０１０３】
本実施形態においては、燃料電池ユニット３１０が、発電システム３０２に対して着脱自在に構成される場合を例として、電源システム１２８の詳細が説明された。しかしながら、電源システム１２８は、本実施形態に限定されない。他の実施形態において、発電システム３０２が、電源システム１２８に対して着脱自在に構成されてよい。さらに他の実施形態において、電源システム１２８が、車両１２０に対して着脱自在に構成されてよい。
【０１０４】
図４は、システム制御部３０８の内部構成の一例を概略的に示す。本実施形態において、システム制御部３０８は、制限信号取得部４２２と、制限情報格納部４２４と、解除信号取得部４２６と、自己位置取得部４２８と、利用状況判定部４３２と、通信状況判定部４３４と、制限決定部４４２と、出力制御部４４４とを備える。
【０１０５】
本実施形態において、制限信号取得部４２２は、電源システム１２８から車両１２０の各部又は一部への電力の供給を制限することを要求する信号（制限信号と称される場合がある。）を受信する。制限信号は、例えば、管理サーバ１４０から送信される。制限信号取得部４２２は、制限信号を受信すると、制限信号が受信されたことを示す情報を、制限決定部４４２に出力してよい。例えば、制限信号取得部４２２は、制限信号を制限決定部４４２に転送する。
【０１０６】
制限信号には、制限の実行に関する条件を示す情報が含まれる場合がある。制限信号取得部４２２は、制限の実行に関する条件を示す情報を、制限情報格納部４２４に格納してよい。
【０１０７】
本実施形態において、制限情報格納部４２４は、制限の実行に関する条件を示す情報を格納する。制限の実行に関する条件を示す情報としては、制限の実行が許可されるエリアを示す情報、制限の実行が禁止されるエリアを示す情報、制限の実行が猶予され得るエリアを示す情報、制限の実行が許可される期間を示す情報、制限の実行が禁止される期間を示す情報、制限の実行が猶予され得る期間を示す情報、制限の実行が許可される時刻帯を示す情報、制限の実行が禁止される時刻帯を示す情報、制限の実行が猶予され得る時刻帯を示す情報、制限の実行が許可される通信状況を示す情報、制限の実行が禁止される通信状況を示す情報、制限の実行が猶予され得る通信状況を示す情報などが例示される。
【０１０８】
制限情報格納部４２４は、制限の実行状況を示す情報を格納してよい。例えば、制限情報格納部４２４は、現時点において、電力の供給が制限されているか否かを示す情報を格納する。制限情報格納部４２４は、制限の内容を示す情報を格納してもよい。制限情報格納部４２４は、制限決定部４４２又は出力制御部４４４からの要求に応じて、当該要求に合致する情報を抽出してよい。
【０１０９】
本実施形態において、解除信号取得部４２６は、上記の電力供給に関する制限を解除することを要求する信号（解除信号と称される場合がある。）を受信する。解除信号は、例えば、管理サーバ１４０から送信される。解除信号取得部４２６は、解除信号を受信すると、解除信号が受信されたことを示す情報を、制限決定部４４２に出力してよい。例えば、制限信号取得部４２２は、解除信号を制限決定部４４２に転送する。
【０１１０】
本実施形態において、自己位置取得部４２８は、車両１２０の現在位置を示す情報を取得する。例えば、自己位置取得部４２８は、車両制御部１２２から、自己位置推定部１２４が出力した車両１２０の現在位置の推定値を示す情報を取得する。自己位置取得部４２８は、車両１２０の現在位置を示す情報を制限決定部４４２に出力してよい。
【０１１１】
本実施形態において、利用状況判定部４３２は、車両１２０の利用状況を判定する。車両１２０の利用状況としては、ユーザ２０が車両１２０の利用を開始したこと、ユーザ２０が車両１２０を利用していること、ユーザ２０が車両１２０の利用を終了したことなどが例示される。利用状況判定部４３２は、判定結果を示す情報を、制限決定部４４２に出力してよい。
【０１１２】
一実施形態において、利用状況判定部４３２は、車両１２０の利用の開始を検出する。上述されたとおり、例えば、入出力制御部２２４が、ユーザ２０からの命令であって車両１２０の利用を開始するための命令を取得すると、電源制御部２２８は、電源システム１２８を起動するための命令を、電源システム１２８に送信する。車両１２０の利用を開始するための命令は、車両１２０の起動スイッチ又はイグニッションキーをＯＮにすることであってよい。利用状況判定部４３２は、電源システム１２８を起動するための命令を受信することで、車両１２０の利用の開始を検出してよい。
【０１１３】
他の実施形態において、利用状況判定部４３２は、車両１２０の利用の終了を検出する。上述されたとおり、例えば、入出力制御部２２４が、ユーザ２０からの命令であって車両１２０の利用を終了するための命令を取得すると、電源制御部２２８は、電源システム１２８を終了するための命令を、電源システム１２８に送信する。車両１２０の利用を終了するための命令は、車両１２０の起動スイッチ又はイグニッションキーをＯＦＦにすることであってよい。利用状況判定部４３２は、電源システム１２８を終了するための命令を受信することで、車両１２０の利用の終了を検出してよい。
【０１１４】
本実施形態において、通信状況判定部４３４は、車両１２０の通信状況を判定する。通信状況判定部４３４は、例えば、通信制御部２２２と、通信端末２２及び管理サーバ１４０との間の通信を解析して、車両１２０の通信状況を判定してよい。通信状況判定部４３４は、判定結果を示す情報を、制限決定部４４２に出力してよい。
【０１１５】
車両１２０の通信状況としては、通信の可否、電波状況の良否、通信品質の良否、通信可能な通信方式の種類、及び、通信可能な通信キャリアの種類などに関する情報が例示される。電波状況としては、電波受信レベル、電波強度、ＲＳＣＰ（Ｒｅｃｅｉｖｅｄ  Ｓｉｇｎａｌ  Ｃｏｄｅ  Ｐｏｗｅｒ）、ＣＩＤ（Ｃｅｌｌ  ＩＤ）などが例示される。通信品質としては、通信速度、データ通信のスループット、データ通信のレイテンシなどが例示される。
【０１１６】
本実施形態において、制限決定部４４２は、制限信号取得部４２２が制限信号を取得した場合に、電源システム１２８から車両１２０の各部又は一部への電力の供給を制限することを決定する。制限決定部４４２は、制限信号取得部４２２が制限信号を取得した後、適切なタイミングにおいて、上記の電力供給に関する制限を実行することを決定してよい。制限決定部４４２は、解除信号取得部４２６が解除信号を取得した場合に、上記の電力供給に関する制限を解除することを決定する。
【０１１７】
［制限を開始するタイミングに関する具体例］
上述されたとおり、制限決定部４４２は、制限信号取得部４２２から、制限信号が受信されたことを示す情報を取得してよい。制限信号取得部４２２は、制限情報格納部４２４にアクセスして、制限の実行に関する条件を示す情報を取得してよい。制限決定部４４２は、解除信号取得部４２６から、解除信号が受信されたことを示す情報を取得してよい。制限信号取得部４２２は、自己位置取得部４２８から、車両１２０の現在位置を示す情報を取得してよい。制限信号取得部４２２は、利用状況判定部４３２から、車両１２０の利用状況に関する判定結果を示す情報を取得してよい。制限信号取得部４２２は、通信状況判定部４３４から、車両１２０の通信状況に関する判定結果を示す情報を取得してよい。
【０１１８】
一実施形態において、制限決定部４４２は、制限信号取得部４２２が制限信号を取得した後、利用状況判定部４３２が車両１２０の利用の終了を検出した場合に、上記の電力供給に関する制限を開始することを決定してよい。制限決定部４４２は、制限信号取得部４２２が制限信号を取得し、利用状況判定部４３２が車両１２０の利用の終了を検出した後、利用状況判定部４３２が車両１２０の利用の開始を検出した場合に、上記の電力供給に関する制限を開始することを決定してよい。
【０１１９】
これにより、ユーザ２０が車両１２０を運転している最中に、車両１２０が利用不能になることが抑制される。また、ユーザ２０が車両１２０の利用を停止する場合、車両１２０は目的地点又は適切な中継地点に停車している可能性が高い。そのため、電源システム１２８から車両１２０への電力供給が制限された場合であっても、ユーザ２０は、車両１２０の利用料金を支払ったり、車外で休憩したりすることができる可能性が高い。さらに、制限信号取得部４２２が制限信号を取得した後、比較的早いタイミングで、電源システム１２８から車両１２０への電力供給が制限される。その結果、利用料金の徴収期間の短縮化、盗難被害の拡大の抑制などが期待される。
【０１２０】
他の実施形態において、制限決定部４４２は、車両１２０の位置と、制限の実行が許可されるエリアの位置との地理的関係が予め定められた条件を満足する場合に、上記の電力供給に関する制限を開始することを決定してよい。上記の予め定められた条件としては、（ｉ）車両１２０が、制限の実行が許可されるエリアの内部に位置するという条件、（ｉｉ）車両１２０の位置と、制限の実行が許可されるエリアの位置との距離が予め定められた値よりも小さいという条件などが例示される。
【０１２１】
制限決定部４４２は、車両１２０の位置と、制限の実行が禁止されるエリアの位置との地理的関係が予め定められた条件を満足する場合に、制限決定部４４２は、上記の電力供給に関する制限を開始することを決定してよい。上記の予め定められた条件としては、（ｉ）車両１２０が、制限の実行が禁止されるエリアの内部に位置していないという条件、（ｉｉ）車両１２０の位置と、制限の実行が許可されるエリアの位置との距離が予め定められた値よりも大きいという条件などが例示される。
【０１２２】
他の実施形態において、制限決定部４４２は、車両１２０の通信状況に基づいて、電力の供給の制限を開始するか否かを決定してもよい。例えば、車両１２０の通信状況が良好である場合、制限信号取得部４２２は、上記の電力供給に関する制限を開始してよい。一方、車両１２０の通信状況が良好でない場合、制限信号取得部４２２は、上記の電力供給に関する制限を猶予してよい。
【０１２３】
さらに他の実施形態において、制限決定部４４２は、車両１２０の周辺環境の状況に基づいて、電力の供給の制限を開始するか否かを決定してもよい。例えば、車両１２０の周囲の気象条件が予め定められた条件を満足する場合、制限決定部４４２は、上記の電力供給に関する制限を開始してよい。一方、車両１２０の周囲の気象条件が予め定められた条件を満足しない場合、制限信号取得部４２２は、上記の電力供給に関する制限を猶予してよい。
【０１２４】
予め定められた条件としては、（ｉ）気温が、予め定められた数値範囲内であること、少なくとも気温に基づいて決定される指数又は指標が、予め定められた数値範囲内であることなどが例示される。上記の指数としては、暑さ指数又は湿球黒球温度（ＷＢＧＴと略称される場合がある）、不快指数（ＴＨＩと略称される場合がある）、予測平均温冷感申告（ＰＭＶと略称される場合がある）、標準有効温度（ＳＥＴと略称される場合がある）などが例示される。
【０１２５】
本実施形態において、出力制御部４４４は、制限信号取得部４２２が制限信号を取得した場合に、電源システム１２８から車両１２０の各部又は一部への電力の供給を制限する。出力制御部４４４は、制限決定部４４２が、上記の電力供給に関する制限を開始することを決定した場合に、上記の制限を実行してよい。
【０１２６】
出力制御部４４４は、例えば、（ｉ）電力の供給及び受領の少なくとも一方を停止する手段、（ｉｉ）電力の供給量又はその上限値を予め定められた値よりも小さくする手段、（ｉｉｉ）燃料電池の起動を禁止する手段、（ｉｖ）燃料電池の発電を禁止する手段、（ｖ）燃料電池の出力電力又はその上限値を予め定められた値よりも小さくする手段、（ｖｉ）燃料電池の出力レート又はその上限値を予め定められた閾値よりも小さくする手段、（ｖｉｉ）燃料電池の燃料の補充を禁止する手段、（ｖｉｉｉ）燃料電池の取り外し又は燃料電池の燃料カートリッジの取り外しを禁止する手段、及び、（ｉＸ）燃料電池の燃料の補充可能量を予め定められた値よりも小さくする手段の少なくとも１つにより、電力の供給を制限する。燃料の補充可能量は、１回あたりの燃料補充量の上限値であってもよく、一定期間における燃料補充量の上限値であってもよい。
【０１２７】
電源システム１２８から車両１２０への電力の供給が停止されると、車両１２０は移動することができない。電源システム１２８が車両１２０からの電力の受領を停止すると、例えば、蓄電システム３０４の充電、回生電力の回収などができなくなる。この状態で、車両１２０が作動し続けると、蓄電システム３０４の残容量が低下する。蓄電システム３０４の残容量が予め定められた値よりも小さくなると、車両１２０の動作の一部に制限が課される場合がある。
【０１２８】
電源システム１２８から車両１２０への電力の供給量が少なくなると、例えば、車両１２０は高速に移動することができない。燃料電池の起動が禁止されたり、燃料電池の発電が禁止されたりすると、車両１２０は、蓄電システム３０４の残容量の範囲内でしか作動することができない。発電を禁止する手法としては、酸化剤の供給を停止する方法、燃料の供給を停止する方法などが例示される。
【０１２９】
燃料電池の出力電力が小さくなると、例えば、車両１２０は高速に移動することができない。燃料電池の出力レートが小さくなると、例えば、車両１２０の加速性能が低下する。燃料電池の出力電力又は出力レートを調整する手法としては、電力変換部３０６により出力を調整する方法、燃料又は酸化剤の供給速度を調整する方法などが例示される。
【０１３０】
燃料電池の燃料の補充が禁止されると、車両１２０は、燃料の残量及び蓄電システム３０４の残容量の範囲内でしか作動することができない。燃料電池の燃料の補充を禁止する手法としては、燃料の供給口を閉じたままにする方法、燃料の供給口への燃料供給ノズルの挿入を阻害する方法、燃料供給装置に、燃料の供給が禁止されていることを示す信号を送信する方法などが例示される。
【０１３１】
燃料電池の取り外し又は燃料電池の燃料カートリッジの取り外しが禁止されると、車両１２０が燃料を使い切った後、燃料不足の状態が維持される。燃料電池の燃料の補充可能量が予め定められた値よりも小さくなると、１回の補充により車両１２０が作動することのできる時間が短くなる。燃料の補充可能量を制限する方法としては、燃料供給装置に、燃料の補充可能量の上限値を示す信号を送信する方法などが例示される。
【０１３２】
出力制御部４４４は、上記の制限を段階的に実行してよい。一実施形態において、出力制御部４４４は、特定の種類の制限を実施し、当該制限の強度を段階的に強くする。段階の数は、特に限定されない。段階の数は、２以上であってもよく、３以上であってもよく、４以上であってもよく、５以上であってもよい。
【０１３３】
例えば、出力制御部４４４は、まず、燃料電池の出力レートの上限値を、通常値よりも小さな値に変更する。これにより、車両１２０の加速性能が低下する。その結果、車両１２０のユーザ２０は、今後、車両１２０への電力供給がさらに制限されることを予見することができる。
【０１３４】
その後、解除信号取得部４２６が解除信号を取得する前に、予め定められた条件が成立すると、出力制御部４４４は、出力レートの上限値を、さらに小さな値に変更する。予め定められた条件としては、燃料電池の発電量が一定値を超えること、車両１２０の消費電力量が一定値を超えること、車両１２０の稼働時間が一定値を超えること、一定期間が経過したことなどが例示される。
【０１３５】
他の実施形態において、出力制御部４４４は、まず、第１段階として、第１の種類の制限を実施する。次に、第２段階として、第２の種類の制限を実施する。段階の数は、特に限定されない。段階の数は、２以上であってもよく、３以上であってもよく、４以上であってもよく、５以上であってもよい。また、各段階において、制限の強度を段階的に強くしてもよい。
【０１３６】
例えば、車両１２０の利用料金の未納期間の長さが一定値を超えると、制限信号取得部４２２が制限信号を受信する。制限信号取得部４２２が制限信号を受信すると、出力制御部４４４は、第１段階として、電源システム１２８又は燃料電池の出力レートの上限値を制限する。これにより、車両１２０の加速性能が低下する。その結果、車両１２０のユーザ２０は、今後、車両１２０への電力供給がさらに制限されることを予見することができる。
【０１３７】
その後、解除信号取得部４２６が解除信号を取得する前に、予め定められた条件が成立すると、出力制御部４４４は、第２段階として、車両１２０への電力の供給量の上限値を予め定められた値よりも小さくする。予め定められた条件としては、燃料電池の発電量が一定値を超えること、車両１２０の消費電力量が一定値を超えること、車両１２０の稼働時間が一定値を超えること、一定期間が経過したことなどが例示される。これにより、車両１２０の駆動システム１２６の出力が制限される。その結果、車両１２０の最高速度が制限される。
【０１３８】
その後、解除信号取得部４２６が解除信号を取得する前に、予め定められた条件がさらに成立すると、出力制御部４４４は、第３段階として、次回の燃料電池の起動を禁止したり、燃料の補充を制限したりする。その結果、例えば、利用料金の未納状態が解消されなければ、最終的に、ユーザ２０は、車両１２０を継続して利用することができなくなる。
【０１３９】
出力制御部４４４は、車両１２０の状況に応じて、電力供給を制限する手法を選択してもよい。車両１２０の状況としては、車両１２０の現在位置、車両１２０の稼働状況、車両１２０の通信状況、車両１２０の周辺環境の状況などが例示される。
【０１４０】
一実施形態において、車両１２０が、予め定められた停車場所に停車している場合、電力供給を制限する手法は特に制限されない。例えば、出力制御部４４４は、電力供給を制限する手法として、（ｉ）電源システム１２８から車両１２０への電力の供給を停止すること、又は、（ｉｉ）燃料電池の起動若しくは発電を禁止することを選択する。予め定められた停車場所としては、（ｉ）ユーザ２０の自宅若しくは勤務先又はそれらの近傍に配された駐車場、（ｉｉ）行政又は民間企業が運営する駐車場などが例示される。
【０１４１】
一方、車両１２０の現在位置と、予め定められた停車場所との距離が、予め定められた値よりも大きい場合、出力制御部４４４は、電力供給を制限する手法として、（ｉ）電源システム１２８から車両１２０への電力の供給量若しくはその上限値を、定格値よりも小さくすること、（ｉｉ）電源システム１２８若しくは燃料電池の出力レートの上限値を、通常値よりも小さくすること、（ｉｉｉ）燃料の補充を禁止すること、（ｉｖ）燃料電池の取り外し若しくは燃料電池の燃料カートリッジの取り外しを禁止すること、又は、（ｖ）燃料の補充可能量を通常値よりも小さくすることを選択してもよい。本実施形態によれば、車両１２０への電力供給が制限されている場合であっても、車両１２０は駐車スペース又は燃料ステーションまで安全に移動することができる。
【０１４２】
他の実施形態において、車両１２０の通信状況が良好である場合、電力供給を制限する手法は特に制限されない。例えば、出力制御部４４４は、電力供給を制限する手法として、（ｉ）電源システム１２８から車両１２０への電力の供給量若しくはその上限値を、定格値よりも小さくすること、（ｉｉ）電源システム１２８若しくは燃料電池の出力レートの上限値を、通常値よりも小さくすること、（ｉｉｉ）燃料の補充を禁止すること、（ｉｖ）燃料電池の取り外し若しくは燃料電池の燃料カートリッジの取り外しを禁止すること、又は、（ｖ）燃料の補充可能量を通常値よりも小さくすることを選択する。
【０１４３】
一方、車両１２０の通信状況が良好でない場合、出力制御部４４４は、電力供給を制限する手法として、（ｉ）電源システム１２８から車両１２０への電力の供給量若しくはその上限値を、定格値よりも小さくすること、又は、（ｉｉ）電源システム１２８若しくは燃料電池の出力レートの上限値を、通常値よりも小さくすることを選択してよい。本実施形態によれば、車両１２０は、燃料不足に陥ることなく、通信状況が良好な場所まで移動することができる。
【０１４４】
さらに他の実施形態において、車両１２０の周囲の気象条件が予め定められた条件を満足する場合、電力供給を制限する手法は特に制限されない。例えば、出力制御部４４４は、電力供給を制限する手法として、（ｉ）電源システム１２８から車両１２０への電力の供給を停止すること、又は、（ｉｉ）燃料電池の起動若しくは発電を禁止することを選択する。
【０１４５】
一方、車両１２０の周囲の気象条件が予め定められた条件を満足しない場合、（ｉ）電源システム１２８から車両１２０への電力の供給量若しくはその上限値を、定格値よりも小さくすること、（ｉｉ）電源システム１２８若しくは燃料電池の出力レートの上限値を、通常値よりも小さくすること、（ｉｉｉ）燃料の補充を禁止すること、（ｉｖ）燃料電池の取り外し若しくは燃料電池の燃料カートリッジの取り外しを禁止すること、又は、（ｖ）燃料の補充可能量を通常値よりも小さくすることを選択してもよい。予め定められた条件としては、（ｉ）気温が、予め定められた数値範囲内であること、少なくとも気温に基づいて決定される指数又は指標が、予め定められた数値範囲内であることなどが例示される。上記の指数としては、暑さ指数又は湿球黒球温度（ＷＢＧＴと略称される場合がある）、不快指数（ＴＨＩと略称される場合がある）、予測平均温冷感申告（ＰＭＶと略称される場合がある）、標準有効温度（ＳＥＴと略称される場合がある）などが例示される。本実施形態によれば、車両１２０への電力供給が制限されている場合であっても、例えば、車両１２０が所定の駐車スペース又は燃料ステーションに移動したり、車両１２０の空調設備が稼働を継続したりすることができる。
【０１４６】
制限信号取得部４２２は、制限要求取得部の一例であってよい。解除信号取得部４２６は、解除要求取得部の一例であってよい。利用状況判定部４３２は、終了検出部及び開始検出部の一例であってよい。制限決定部４４２は、制限部の一例であってよい。出力制御部４４４は、制限部の一例であってよい。制限信号は、制限要求の一例であってよい。解除信号は、解除要求の一例であってよい。
【０１４７】
図５は、車両管理部１４２の一例を概略的に示す。本実施形態において、車両管理部１４２は、車両位置管理部５２２と、車両異常検出部５２４と、未納情報取得部５３２と、支払情報取得部５３４と、利用制限部５４０と、格納部５５０とを備える。本実施形態において、利用制限部５４０は、制限信号送信部５４２と、解除信号送信部５４４とを有する。格納部５５０は、車両情報格納部５５２と、エリア情報格納部５５４とを有する。
【０１４８】
本実施形態において、車両位置管理部５２２は、１以上の車両１２０のそれぞれの位置情報を管理する。車両位置管理部５２２は、１以上の電源システム１２８のそれぞれの位置情報を管理してもよい。電源システム１２８の位置は、当該電源システムが搭載されている車両１２０の位置であってよい。例えば、車両位置管理部５２２は、任意のタイミングにおいて、１以上の車両１２０のそれぞれから、当該タイミングにおける車両１２０の位置を示す情報を取得する。車両位置管理部５２２は、例えば、車両１２０の位置を示す情報と、当該情報が取得された時刻を示す情報とを対応付けて、車両位置管理部５２２に格納する。
【０１４９】
本実施形態において、車両異常検出部５２４は、１以上の車両１２０の少なくとも１つに生じた異常を検出する。車両異常検出部５２４は、１以上の電源システム１２８の少なくとも１つに生じた異常を検出してもよい。上記の異常としては、故障、盗難、紛失などが例示される。車両異常検出部５２４は、例えば、車両１２０から、車両１２０又は電源システム１２８に故障が発生したことを示す情報を取得する。車両異常検出部５２４は、例えば、通信端末２２から、車両１２０又は電源システム１２８の盗難又は紛失を示す情報を取得する。車両位置管理部５２２は、例えば、車両１２０又は電源システム１２８に異常が発生したことを示す情報を、車両位置管理部５２２に格納する。
【０１５０】
車両異常検出部５２４は、１以上の車両１２０の少なくとも１つに生じた異常が解消したことを検出してもよい。車両位置管理部５２２は、例えば、車両１２０又は電源システム１２８の異常が解消したことを示す情報を、車両位置管理部５２２に格納する。
【０１５１】
本実施形態において、未納情報取得部５３２は、例えば、精算管理部１４４から、車両１２０又は電源システム１２８の利用料金が未納であることを示す情報（未納情報と称される場合がある。）を取得する。車両位置管理部５２２は、例えば、車両１２０又は電源システム１２８の利用料金が未納であることを示す情報を、車両位置管理部５２２に格納する。
【０１５２】
本実施形態において、支払情報取得部５３４は、例えば、精算管理部１４４から、車両１２０又は電源システム１２８の利用料金が支払われたことを示す情報を取得する。車両位置管理部５２２は、例えば、車両１２０又は電源システム１２８の利用料金が支払われたこと示す情報（支払情報と称される場合がある。）を、車両位置管理部５２２に格納する。
【０１５３】
本実施形態において、利用制限部５４０は、上述された制限信号及び解除信号の少なくとも一方を生成する。利用制限部５４０は、生成された信号を、対応する車両１２０又は電源システム１２８に送信する。
【０１５４】
本実施形態において、制限信号送信部５４２は、車両異常検出部５２４が車両１２０の異常を検出した場合、及び、未納情報取得部５３２が未納情報を取得した場合の少なくとも一方において、上記の制限信号を生成する。制限信号送信部５４２は、生成された制限信号を、対応する車両１２０又は電源システム１２８に送信する。
【０１５５】
制限信号送信部５４２は、適切なタイミングにおいて、生成された制限信号を、対応する車両１２０又は電源システム１２８に送信してよい。例えば、制限信号送信部５４２は、車両情報格納部５５２を参照して、車両１２０又は電源システム１２８の現在位置を示す情報を取得する。また、制限信号送信部５４２は、エリア情報格納部５５４を参照して、車両１２０又は電源システム１２８の現在位置と、制限の実行が許可されるエリアの位置との地理的な関係が予め定められた条件（第１地理的条件と称される場倍がある。）を満足するか否かを判定する。車両１２０又は電源システム１２８の現在位置と、制限の実行が許可されるエリアの位置との地理的な関係が第１地理的条件を満足する場合、制限信号送信部５４２は、制限信号を、対応する車両１２０又は電源システム１２８に送信する。第１地理的条件としては、（ｉ）車両１２０が、制限の実行が許可されるエリアの内部に位置するという条件、（ｉｉ）車両１２０の位置と、制限の実行が許可されるエリアの位置との距離が予め定められた値よりも小さいという条件などが例示される。
【０１５６】
制限信号送信部５４２は、生成された制限信号とともに、又は、当該制限信号と対応付けて、制限の実行に関する条件を示す情報を、対応する車両１２０又は電源システム１２８に送信してよい。例えば、制限信号送信部５４２は、エリア情報格納部５５４を参照して、制限の実行が許容されるエリア及び制限の実行が禁止されるエリアのうち、車両１２０又は電源システム１２８と予め定められた第２地理的条件を満足するエリアを抽出する。第２地理的条件としては、（ｉ）車両１２０が、当該エリアの内部に位置するという条件、（ｉｉ）車両１２０の位置と、当該エリアの位置との距離が予め定められた値よりも小さいという条件などが例示される。制限信号送信部５４２は、抽出されたエリアの種類及び位置を示す情報を、制限信号とともに又は当該制限信号と対応付けて、対応する車両１２０又は電源システム１２８に送信する。
【０１５７】
本実施形態において、解除信号送信部５４４は、車両異常検出部５２４が車両１２０の異常の解消を検出した場合、及び、支払情報取得部５３４が支払情報を取得した場合の少なくとも一方において、上記の解除信号を生成する。解除信号送信部５４４は、生成された解除信号を、対応する車両１２０又は電源システム１２８に送信する。
【０１５８】
本実施形態において、格納部５５０は、各種の情報を格納する。本実施形態において、車両情報格納部５５２は、１以上の車両１２０のそれぞれに関する各種の情報を格納する。車両情報格納部５５２に格納される情報の詳細は後述される。本実施形態において、エリア情報格納部５５４は、制限の実行が許容されるエリア及び制限の実行が禁止されるエリアの少なくとも一方の位置を示すエリア情報を格納する。エリア情報は、ホワイトリスト形式であってもよく、ブラックリスト形式であってもよい。
【０１５９】
車両位置管理部５２２は、位置情報取得部の一例であってよい。車両異常検出部５２４は、イベント検出部の一例であってよい。未納情報取得部５３２は、イベント検出部の一例であってよい。支払情報取得部５３４は、イベント検出部の一例であってよい。制限信号送信部５４２は、制限要求送信部、エリア抽出部及び位置判定部の一例であってよい。解除信号送信部５４４は、解除要求送信部の一例であってよい。エリア情報格納部５５４は、エリア情報格納部の一例であってよい。
【０１６０】
図６は、データテーブル６００の一例を概略的に示す。データテーブル６００の各行は、車両情報格納部５５２に格納される車両情報の一例であってよい。本実施形態において、データテーブル６００は、各車両を識別するための車両ＩＤ６２２と、時刻６２４を示す情報と、車両位置６２６を示す情報と、車両位置６２６を示す情報と、車両の状況６２８を示す情報と、電源の状況６３０を示す情報と、料金の支払状況６３２を示す情報と、利用の制限状況６３４を示す情報とを対応付けて格納する。
【０１６１】
本実施形態において、車両位置６２６を示す情報は、時刻６２４における車両１２０の位置を示す。車両１２０の位置としては、当該位置の住所、当該位置に配された施設の名称、当該位置の位置座標などが例示される。位置座標は、緯度及び経度により特定の位置を表してもよく、緯度、経度及び高度により特定の位置を表してもよい。車両１２０の位置は、電源システム１２８の位置の一例であってよい。本実施形態において、車両の状況６２８を示す情報としては、車両１２０の利用状況を示す情報、異常の発生の有無を示す情報などが例示される。本実施形態において、電源の状況６３０を示す情報は、電源システム１２８の利用状況を示す情報、異常の発生の有無を示す情報などが例示される。
【０１６２】
図７は、本発明の複数の態様が全体的又は部分的に具現化されてよいコンピュータ３０００の一例を示す。本実施形態において、車両管理システム１００の少なくとも一部は、コンピュータ３０００により実現される。車両１２０の一部は、コンピュータ３０００により実現されてよい。例えば、車両制御部１２２、システム制御部３０８及びＦＣ制御部３３０の少なくとも１つは、コンピュータ３０００により実現される。管理サーバ１４０又はその一部は、コンピュータ３０００により実現されてよい。
【０１６３】
コンピュータ３０００にインストールされたプログラムは、コンピュータ３０００に、本発明の実施形態に係る装置に関連付けられるオペレーション又は当該装置の１又は複数の「部」として機能させ、又は当該オペレーション又は当該１又は複数の「部」を実行させることができ、及び／又はコンピュータ３０００に、本発明の実施形態に係るプロセス又は当該プロセスの段階を実行させることができる。そのようなプログラムは、コンピュータ３０００に、本明細書に記載のフローチャート及びブロック図のブロックのうちのいくつか又はすべてに関連付けられた特定のオペレーションを実行させるべく、ＣＰＵ３０１２によって実行されてよい。
【０１６４】
本実施形態によるコンピュータ３０００は、ＣＰＵ３０１２、ＲＡＭ３０１４、グラフィックコントローラ３０１６、及びディスプレイデバイス３０１８を含み、それらはホストコントローラ３０１０によって相互に接続されている。コンピュータ３０００はまた、通信インターフェース３０２２、ハードディスクドライブ３０２４、ＤＶＤ−ＲＯＭドライブ３０２６、及びＩＣカードドライブのような入出力ユニットを含み、それらは入出力コントローラ３０２０を介してホストコントローラ３０１０に接続されている。コンピュータはまた、ＲＯＭ３０３０及びキーボード３０４２のようなレガシの入出力ユニットを含み、それらは入出力チップ３０４０を介して入出力コントローラ３０２０に接続されている。
【０１６５】
ＣＰＵ３０１２は、ＲＯＭ３０３０及びＲＡＭ３０１４内に格納されたプログラムに従い動作し、それにより各ユニットを制御する。グラフィックコントローラ３０１６は、ＲＡＭ３０１４内に提供されるフレームバッファ等又はそれ自体の中に、ＣＰＵ３０１２によって生成されるイメージデータを取得し、イメージデータがディスプレイデバイス３０１８上に表示されるようにする。
【０１６６】
通信インターフェース３０２２は、ネットワークを介して他の電子デバイスと通信する。ハードディスクドライブ３０２４は、コンピュータ３０００内のＣＰＵ３０１２によって使用されるプログラム及びデータを格納する。ＤＶＤ−ＲＯＭドライブ３０２６は、プログラム又はデータをＤＶＤ−ＲＯＭ３００１から読み取り、ハードディスクドライブ３０２４にＲＡＭ３０１４を介してプログラム又はデータを提供する。ＩＣカードドライブは、プログラム及びデータをＩＣカードから読み取り、及び／又はプログラム及びデータをＩＣカードに書き込む。
【０１６７】
ＲＯＭ３０３０はその中に、アクティブ化時にコンピュータ３０００によって実行されるブートプログラム等、及び／又はコンピュータ３０００のハードウエアに依存するプログラムを格納する。入出力チップ３０４０はまた、様々な入出力ユニットをパラレルポート、シリアルポート、キーボードポート、マウスポート等を介して、入出力コントローラ３０２０に接続してよい。
【０１６８】
プログラムが、ＤＶＤ−ＲＯＭ３００１又はＩＣカードのようなコンピュータ可読記憶媒体によって提供される。プログラムは、コンピュータ可読記憶媒体から読み取られ、コンピュータ可読記憶媒体の例でもあるハードディスクドライブ３０２４、ＲＡＭ３０１４、又はＲＯＭ３０３０にインストールされ、ＣＰＵ３０１２によって実行される。これらのプログラム内に記述される情報処理は、コンピュータ３０００に読み取られ、プログラムと、上記様々なタイプのハードウエアリソースとの間の連携をもたらす。装置又は方法が、コンピュータ３０００の使用に従い情報のオペレーション又は処理を実現することによって構成されてよい。
【０１６９】
例えば、通信がコンピュータ３０００及び外部デバイス間で実行される場合、ＣＰＵ３０１２は、ＲＡＭ３０１４にロードされた通信プログラムを実行し、通信プログラムに記述された処理に基づいて、通信インターフェース３０２２に対し、通信処理を命令してよい。通信インターフェース３０２２は、ＣＰＵ３０１２の制御の下、ＲＡＭ３０１４、ハードディスクドライブ３０２４、ＤＶＤ−ＲＯＭ３００１、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０１７０】
また、ＣＰＵ３０１２は、ハードディスクドライブ３０２４、ＤＶＤ−ＲＯＭドライブ３０２６（ＤＶＤ−ＲＯＭ３００１）、ＩＣカード等のような外部記録媒体に格納されたファイル又はデータベースの全部又は必要な部分がＲＡＭ３０１４に読み取られるようにし、ＲＡＭ３０１４上のデータに対し様々なタイプの処理を実行してよい。ＣＰＵ３０１２は次に、処理されたデータを外部記録媒体にライトバックしてよい。
【０１７１】
様々なタイプのプログラム、データ、テーブル、及びデータベースのような様々なタイプの情報が記録媒体に格納され、情報処理を受けてよい。ＣＰＵ３０１２は、ＲＡＭ３０１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ３０１４に対しライトバックする。また、ＣＰＵ３０１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ３０１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【０１７２】
上で説明したプログラム又はソフトウエアモジュールは、コンピュータ３０００上又はコンピュータ３０００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それにより、上記のプログラムを、ネットワークを介してコンピュータ３０００に提供する。
【０１７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。また、技術的に矛盾しない範囲において、特定の実施形態について説明した事項を、他の実施形態に適用することができる。また、各構成要素は、名称が同一で、参照符号が異なる他の構成要素と同様の特徴を有してもよい。その様な変更または改良を加えた形態も本発明の技術的範囲に含まれ得ることが、請求の範囲の記載から明らかである。
【０１７４】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【０１７５】
１０  通信ネットワーク、２０  ユーザ、２２  通信端末、１００  車両管理システム、１２０  車両、１２２  車両制御部、１２４  自己位置推定部、１２６  駆動システム、１２８  電源システム、１４０  管理サーバ、１４２  車両管理部、１４４  精算管理部、２２２  通信制御部、２２４  入出力制御部、２２６  駆動制御部、２２８  電源制御部、３０２  発電システム、３０４  蓄電システム、３０６  電力変換部、３０８  システム制御部、３１０  燃料電池ユニット、３１２  燃料供給ユニット、３１４  酸化剤供給ユニット、３１６  温度調整媒体供給ユニット、３２２  通信コネクタ、３２４  電力コネクタ、３２６  発電用ユーティリティコネクタ、３３０  ＦＣ制御部、３４０  発電部、３５０  補機用バッテリ、４２２  制限信号取得部、４２４  制限情報格納部、４２６  解除信号取得部、４２８  自己位置取得部、４３２  利用状況判定部、４３４  通信状況判定部、４４２  制限決定部、４４４  出力制御部、５２２  車両位置管理部、５２４  車両異常検出部、５３２  未納情報取得部、５３４  支払情報取得部、５４０  利用制限部、５４２  制限信号送信部、５４４  解除信号送信部、５５０  格納部、５５２  車両情報格納部、５５４  エリア情報格納部、６００  データテーブル、６２２  車両ＩＤ、６２４  時刻、６２６  車両位置、６２８  状況、６３０  状況、６３２  支払状況、６３４  制限状況、３０００  コンピュータ、３００１  ＤＶＤ−ＲＯＭ、３０１０  ホストコントローラ、３０１２  ＣＰＵ、３０１４  ＲＡＭ、３０１６  グラフィックコントローラ、３０１８  ディスプレイデバイス、３０２０  入出力コントローラ、３０２２  通信インターフェース、３０２４  ハードディスクドライブ、３０２６  ＤＶＤ−ＲＯＭドライブ、３０３０  ＲＯＭ、３０４０  入出力チップ、３０４２  キーボード、
【図１】
2020121496.tif 000003
【図２】
2020121496.tif 000004
【図３】
2020121496.tif 000005
【図４】
2020121496.tif 000006
【図５】
2020121496.tif 000007
【図６】
2020121496.tif 000008
【図７】
2020121496.tif 000009
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
作業機械に電力を供給する電力供給装置を制御する制御装置であって、
前記電力供給装置は、燃料電池を備え、
前記制御装置は、
通信ネットワークを介して、前記電力供給装置から前記作業機械への電力の供給を制限することを要求する制限要求を取得する制限要求取得部と、
前記制限要求取得部が前記制限要求を取得した場合に、前記電力供給装置から前記作業機械への電力の供給を制限する制限部と、
を備え、
前記作業機械は、運輸機器であり、
前記電力供給装置は、前記作業機械に搭載され、
前記制限部は、（ｉ）前記電力の供給量又はその上限値を予め定められた値よりも小さくする手段、（ｉｉ）前記燃料電池の起動を禁止する手段、（ｉｉｉ）前記燃料電池の出力電力又はその上限値を予め定められた値よりも小さくする手段、（ｉｖ）前記燃料電池の出力レート又はその上限値を予め定められた閾値よりも小さくする手段、（ｖ）前記燃料電池の燃料の補充を禁止する手段、（ｖｉ）前記燃料電池の取り外し又は前記燃料電池の燃料カートリッジの取り外しを禁止する手段、及び、（ｖｉｉ）前記燃料電池の燃料の補充可能量を予め定められた値よりも小さくする手段の少なくとも１つにより、前記電力の供給を制限する、
制御装置。
【請求項２】
前記作業機械の利用の終了を検出する終了検出部をさらに備え、
前記制限部は、前記制限要求取得部が前記制限要求を取得した後、前記終了検出部が前記作業機械の利用の終了を検出した場合に、前記制限の開始を決定する、
請求項１に記載の制御装置。
【請求項３】
前記作業機械の利用の開始を検出する開始検出部をさらに備え、
前記制限部は、前記制限要求取得部が前記制限要求を取得し、前記終了検出部が前記作業機械の利用の終了を検出した後、前記開始検出部が前記作業機械の利用の開始を検出した場合に、前記制限の開始を決定する、
請求項２に記載の制御装置。
【請求項４】
前記通信ネットワークを介して、前記制限を解除することを要求する解除要求を取得する解除要求取得部をさらに備え、
前記制限部は、前記解除要求取得部が前記解除要求を取得した場合に、前記制限の解除を決定する、
請求項１から請求項３までの何れか一項に記載の制御装置。
【請求項５】
前記制限部は、前記作業機械の現在位置、稼働状況、通信状況、及び、周辺環境の状況の少なくとも１つに基づいて、前記電力の供給を制限する手法を選択する、
請求項１から請求項４までの何れか一項に記載の制御装置。
【請求項６】
前記制限部は、前記作業機械の通信状況、及び、周辺環境の状況の少なくとも一方に基づいて、前記電力の供給の制限の開始又は猶予を決定する、
請求項１から請求項５までの何れか一項に記載の制御装置。
【請求項７】
請求項１から請求項６までの何れか一項に記載の制御装置と、
燃料電池と、
を備える、電力供給装置。
【請求項８】
請求項７に記載の電力供給装置と、
前記電力供給装置から供給された電気エネルギーを、力学的エネルギーに変換する電動機と、
を備える、作業機械。
【請求項９】
作業機械に電力を供給する電力供給装置を管理する管理装置であって、
前記電力供給装置は、燃料電池を備え、
前記管理装置は、
前記作業機械及び前記電力供給装置の少なくとも一方に関する予め定められた第１イベントの発生を検出するイベント検出部と、
前記イベント検出部が前記第１イベントの発生を検出した場合に、前記電力供給装置から前記作業機械への電力の供給を制限することを要求する制限要求を、通信ネットワークを介して、前記作業機械及び電力供給装置の少なくとも一方に送信する制限要求送信部と、
を備え、
前記制限要求は、前記制限の実行に関する条件を示す条件を示す情報を含み、
前記制限の実行に関する条件を示す情報は、制限の実行が許可されるエリアを示す情報、制限の実行が禁止されるエリアを示す情報、制限の実行が猶予され得るエリアを示す情報、制限の実行が許可される期間を示す情報、制限の実行が禁止される期間を示す情報、制限の実行が猶予され得る期間を示す情報、制限の実行が許可される時刻帯を示す情報、制限の実行が禁止される時刻帯を示す情報、制限の実行が猶予され得る時刻帯を示す情報、制限の実行が許可される通信状況を示す情報、制限の実行が禁止される通信状況を示す情報、及び、制限の実行が猶予され得る通信状況を示す情報の少なくとも１つを含む、
管理装置。
【請求項１０】
前記作業機械及び前記電力供給装置の少なくとも一方の位置を示す位置情報を取得する位置情報取得部と、
前記制限の実行が許容されるエリアの位置を示すエリア情報を格納するエリア情報格納部を参照して、（ｉ）前記位置情報により示される、前記作業機械及び前記電力供給装置の少なくとも一方の位置と、（ｉｉ）前記エリア情報により示される前記エリアの位置との地理的な関係が予め定められた第１地理的条件を満足するか否かを判定する位置判定部と、
をさらに備え、
前記制限要求送信部は、前記地理的な関係が前記予め定められた第１地理的条件を満足する場合に、前記制限要求を、前記作業機械及び電力供給装置の少なくとも一方に送信する、
請求項９に記載の管理装置。
【請求項１１】
前記制限要求は、前記制限の実行が許容されるエリア及び前記制限の実行が禁止されるエリアの位置を示す情報を含む、
請求項９又は請求項１０に記載の管理装置。
【請求項１２】
前記作業機械及び前記電力供給装置の少なくとも一方の位置を示す位置情報を取得する位置情報取得部と、
（ｉ）前記制限の実行が許容されるエリア及び前記制限の実行が禁止されるエリアの位置を示すエリア情報を格納するエリア情報格納部を参照して、前記制限の実行が許容されるエリア及び前記制限の実行が禁止されるエリアのうち、当該エリアと前記作業機械及び前記電力供給装置の少なくとも一方の位置との地理的な関係が予め定められた第２地理的条件を満足するエリアを抽出するエリア抽出部と、
をさらに備え、
前記制限要求送信部は、前記制限要求とともに、又は、前記制限要求と対応付けて、前記エリア抽出部が抽出した前記エリアの位置を示す情報を、前記作業機械及び前記電力供給装置の少なくとも一方に送信する、
請求項９に記載の管理装置。
【請求項１３】
前記イベント検出部は、前記第１イベントの解消、及び、前記第１イベントを解消させ得る第２イベントの発生の少なくとも一方をさらに検出し、
前記管理装置は、
前記イベント検出部が前記第１イベントの解消及び前記第２イベントの発生の少なくとも一方を検出した場合に、前記制限を解除することを要求する解除要求を、前記通信ネットワークを介して、前記作業機械及び電力供給装置の少なくとも一方に送信する解除要求送信部をさらに備える、
請求項９から請求項１１までの何れか一項に記載の管理装置。
【請求項１４】
前記第１イベントは、前記作業機械及び前記電力供給装置の少なくとも一方の故障、盗難、紛失、及び、利用料金の未納の少なくとも１つを含む、
請求項９から請求項１２までの何れか一項に記載の管理装置。
【請求項１５】
請求項１から請求項６までの何れか一項に記載の制御装置と、
請求項９から請求項１４までの何れか一項に記載の管理装置と、
を備える、管理システム。
【請求項１６】
コンピュータを、請求項１から請求項６までの何れか一項に記載の制御装置として機能させるためのプログラム。
【請求項１７】
コンピュータを、請求項９から請求項１４までの何れか一項に記載の管理装置として機能させるためのプログラム。
【請求項１８】
作業機械に電力を供給する電力供給装置を制御する制御方法であって、
前記電力供給装置は、燃料電池を備え、
前記制御方法は、
通信ネットワークを介して、前記電力供給装置から前記作業機械への電力の供給を制限することを要求する制限要求を取得する制限要求取得段階と、
前記制限要求取得段階において前記制限要求が取得された場合に、前記電力供給装置から前記作業機械への電力の供給を制限する制限段階と、
を有し、
前記作業機械は、運輸機器であり、
前記電力供給装置は、前記作業機械に搭載され、
前記制限段階は、（ｉ）前記電力の供給量又はその上限値を予め定められた値よりも小さくする手段、（ｉｉ）前記燃料電池の起動を禁止する手段、（ｉｉｉ）前記燃料電池の出力電力又はその上限値を予め定められた値よりも小さくする手段、（ｉｖ）前記燃料電池の出力レート又はその上限値を予め定められた閾値よりも小さくする手段、（ｖ）前記燃料電池の燃料の補充を禁止する手段、（ｖｉ）前記燃料電池の取り外し又は前記燃料電池の燃料カートリッジの取り外しを禁止する手段、及び、（ｖｉｉ）前記燃料電池の燃料の補充可能量を予め定められた値よりも小さくする手段の少なくとも１つにより、前記電力の供給を制限する段階を含む、
制御方法。
【請求項１９】
作業機械に電力を供給する電力供給装置を管理する管理方法であって、
前記電力供給装置は、燃料電池を備え、
前記管理方法は、
前記作業機械及び前記電力供給装置の少なくとも一方に関する予め定められた第１イベントの発生を検出するイベント検出段階と、
前記イベント検出段階において前記第１イベントの発生が検出された場合に、前記電力供給装置から前記作業機械への電力の供給を制限することを要求する制限要求を、通信ネットワークを介して、前記作業機械及び電力供給装置の少なくとも一方に送信する制限要求送信段階と、
を有し、
前記制限要求は、前記制限の実行に関する条件を示す条件を示す情報を含み、
前記制限の実行に関する条件を示す情報は、制限の実行が許可されるエリアを示す情報、制限の実行が禁止されるエリアを示す情報、制限の実行が猶予され得るエリアを示す情報、制限の実行が許可される期間を示す情報、制限の実行が禁止される期間を示す情報、制限の実行が猶予され得る期間を示す情報、制限の実行が許可される時刻帯を示す情報、制限の実行が禁止される時刻帯を示す情報、制限の実行が猶予され得る時刻帯を示す情報、制限の実行が許可される通信状況を示す情報、制限の実行が禁止される通信状況を示す情報、及び、制限の実行が猶予され得る通信状況を示す情報の少なくとも１つを含む、
管理方法。
【国際調査報告】
2020121496.tif 000010
2020121496.tif 000011